(57)【要約】      （修正有）【課題】冷媒配管や、その周辺構造の簡素化を図ることができる冷凍装置を提案する。【解決手段】圧縮機（12）と空気熱交換器とレシーバ（15）とが接続される複数の冷媒回路と、複数の圧縮機（12）に対応する電装品（81a）をそれぞれ有する複数の系統用電装品箱（81）と、一列に並んだ複数の架台部（70A,70B,70C,70D）を有する支持架台とを備え、一列に並んだ架台部（70A,70B,70C,70D）には、互いに対応する上記圧縮機（12）、空気熱交換器、レシーバ（15）、及び系統用電装品箱（81）が１つのユニットとして設置される。【選択図】図８
2018054249.tif 000002
【特許請求の範囲】
【請求項１】
圧縮機（12）と空気熱交換器（50,60）とレシーバ（15）とが接続される複数の冷媒回路（10）と、
複数の上記圧縮機（12）に対応する電装品（81a）をそれぞれ有する複数の系統用電装品箱（81）と、
一列に並んだ複数の架台部（70A,70B,70C,70D）を有する支持架台（70）とを備え、
上記各架台部（70A,70B,70C,70D）には、互いに対応する上記圧縮機（12）、空気熱交換器（50,60）、レシーバ（15）、及び系統用電装品箱（81）が１つのユニットとして設置されることを特徴とする冷凍装置。
【請求項２】
請求項１において、
冷媒と水とを熱交換させる水熱交換器（35,36）と、水を搬送する水ポンプ（44）とが接続される水回路（40）と、
操作部（82a）を含む操作用電装品箱（82）とを備え、
上記複数の架台部（70A,70B,70C,70D）は、第１端側架台部（70A）と、第２端側架台部（70D）とを有し、
上記第１端側架台部（70A）には、操作部（82a）を含む操作用電装品箱（82）が設置され、
上記第２端側架台部（70D）には、上記水ポンプ（44）が設置されることを特徴とする冷凍装置。
【請求項３】
請求項２において、
上記複数の架台部（70A,70B,70C,70D）は、該第１端側架台部（70A）と第２端側架台部（70D）との間の少なくとも１つの中間架台部（70B,70C）とを含んでいることを特徴とする冷凍装置。
【請求項４】
請求項２又は３において、
上記第２端側架台部（70D）では、上記第１端側架台部（70A）から上記第２端側架台部（70D）に向かって順に、上記系統用電装品箱（81）、上記圧縮機（12）、及び上記水ポンプ（44）が配置されることを特徴とする冷凍装置。
【請求項５】
請求項３において、
上記中間架台部（70B,70C）の少なくとも１つでは、上記第１端側架台部（70A）から上記第２端側架台部（70D）に向かって順に、上記系統用電装品箱（81）、上記圧縮機（12）、上記水熱交換器（35,36）が配置されることを特徴とする冷凍装置。
【請求項６】
請求項１乃至５のいずれか１つにおいて、
上記支持架台（70）には、上記架台部（70A,70B,70C,70D）の配列方向に沿った少なくとも一方の側面にメンテナンス口（86）が形成され、
上記複数の架台部（70A,70B,70C,70D）の少なくとも１つでは、上記圧縮機（12）が上記レシーバ（15）よりもメンテナンス口（86）寄りに配置されることを特徴とする冷凍装置。
【請求項７】
請求項６において、
上記複数の架台部（70A,70B,70C,70D）の少なくとも１つでは、上記系統用電装品箱（81）が上記レシーバ（15）よりもメンテナンス口（86）寄りに配置されることを特徴とする冷凍装置。
【請求項８】
請求項６又は７において、
上記複数の架台部（70A,70B,70C,70D）の底部には、上記圧縮機（12）が設置されるとともに上記メンテナンス口（86）に向かって引出可能な引出底板（83）が設けられることを特徴とする冷凍装置。
【請求項９】
請求項１乃至８のいずれか１つにおいて、
上記各架台部（70A,70B,70C,70D）に設置される上記１つのユニットは、上記各冷媒回路（10）に接続され、対応する上記系統用電装品箱（81）の電装品（81a）を冷媒によって冷却する冷媒冷却ユニット（25）を含んでいることを特徴とする冷凍装置。
【発明の詳細な説明】
【技術分野】
【０００１】
本発明は、冷凍装置に関する。
【背景技術】
【０００２】
従来より、空気調和装置等の冷凍装置が知られている。
【０００３】
例えば特許文献１に開示の冷凍装置は、圧縮機、空気熱交換器等が接続される複数の冷媒回路と、これらの機器が設置される横長の支持架台とを備えている。複数の空気熱交換器は、支持架台の長手方向に一列に配置される。一方、複数の圧縮機は、例えば支持架台の前側寄りに集約して配置される（例えば同文献の図９を参照）。
【先行技術文献】
【特許文献】
【０００４】
【特許文献１】特開２０１３−０７９７３５号公報
【発明の概要】
【発明が解決しようとする課題】
【０００５】
特許文献１に記載のように、複数の圧縮機や他の機器を支持架台の片側寄りに集約して配置させると、各圧縮機と、これらの圧縮機に対応する他の機器（例えば空気熱交換器）との相対位置は、このようなユニット毎に異なることになる。つまり、冷凍装置では、各圧縮機と他の機器とを接続する冷媒配管等のレイアウトが、ユニット毎に異なることになる。従って、冷媒配管や、この冷媒配管に付随する取り付け構造等が複雑となり、ひいては冷凍装置のコストの増大に繋がる。
【０００６】
本発明は、このような課題に着目してなされたものであり、冷媒配管や、その周辺構造の簡素化を図ることができる冷凍装置を提案することである。
【課題を解決するための手段】
【０００７】
第１の発明は、圧縮機（12）と空気熱交換器（50,60）とレシーバ（15）とが接続される複数の冷媒回路（10）と、複数の上記圧縮機（12）に対応する電装品（81a）をそれぞれ有する複数の系統用電装品箱（81）と、一列に並んだ複数の架台部（70A,70B,70C,70D）を有する支持架台（70）とを備え、上記各架台部（70A,70B,70C,70D）には、互いに対応する上記圧縮機（12）、空気熱交換器（50,60）、レシーバ（15）、及び系統用電装品箱（81）が１つのユニットとして設置されることを特徴とする。
【０００８】
第１の発明では、複数の架台部（70A,70B,70C,70D）が一列に配列されることで支持架台（70）が構成される。そして、共通する冷媒回路（10）に接続される圧縮機（12）、空気熱交換器（50,60）、及びレシーバ（15）と、この圧縮機（12）に対応する系統用電装品箱（81）とが１つのユニットとして各架台部（70A,70B,70C,70D）に設置される。
【０００９】
このようにすると、対応する圧縮機（12）、空気熱交換器（50,60）、及びレシーバ（15）の相対位置を、複数の架台部（70A,70B,70C,70D）間において類似させる、あるいは同じとすることができる。これにより、各架台部（70A,70B,70C,70D）では、冷媒配管を同じように配設することができる。この結果、各架台部（70A,70B,70C,70D）では、冷媒配管や、その周囲の取り付け構造等を共通化でき、冷凍装置の簡素化が図られる。
【００１０】
また、本発明では、圧縮機（12）と、この圧縮機（12）に対応する系統用電装品箱（81）の相対位置を複数の架台部（70A,70B,70C,70D）において類似させる、あるいは同じとすることができる。この結果、各架台部（70A,70B,70C,70D）では、圧縮機（12）と系統用電装品箱（81）の間の電気配線や、その周囲の取り付け構造等を共通化でき、冷凍装置の簡素化が図られる。
【００１１】
第２の発明は、第１の発明において、冷媒と水とを熱交換させる水熱交換器（35,36）と、水を搬送する水ポンプ（44）とが接続される水回路（40）と、操作部（82a）を含む操作用電装品箱（82）とを備え、上記複数の架台部（70A,70B,70C,70D）は、第１端側架台部（70A）と、第２端側架台部（70D）とを有し、上記第１端側架台部（70A）には、操作部（82a）を含む操作用電装品箱（82）が設置され、上記第２端側架台部（70D）には、上記水ポンプ（44）が設置されることを特徴とする。
【００１２】
第２の発明では、第１端側架台部（70A）に操作用電装品箱（82）が設置され、第２端側架台部（70D）に水ポンプ（44）が設置されるため、操作用電装品箱（82）と水ポンプ（44）との距離を離すことができる。このため、水ポンプ（44）の周囲に水が漏洩したとしても、この水が操作用電装品箱（82）へ到達するのを防止できる。
【００１３】
第３の発明は、第２の発明において、上記複数の架台部（70A,70B,70C,70D）は、該第１端側架台部（70A）と第２端側架台部（70D）との間の少なくとも１つの中間架台部（70B,70C）とを含んでいることを特徴とする。
【００１４】
第３の発明では、第１端側架台部（70A）、中間架台部（70B,70C）、及び第２端側架台部（70D）が一列に並んで支持架台（70）が構成される。第１端側架台部（70A）に設置される操作用電装品箱（82）と、第２端側架台部（70D）に設置される水ポンプ（44）との間には、中間架台部（70B,70C）が配置されるため、操作用電装品箱（82）と水ポンプ（44）との距離を離すことができる。このため、水ポンプ（44）の周囲に水が漏洩したとしても、この水が操作用電装品箱（82）へ到達するのを確実に防止できる。
【００１５】
また、操作用電装品箱（82）と水ポンプ（44）とは、複数の架台部（70A,70B,70C,70D）のうち最も端側の架台部（70A,70D）に設置される。このため、操作用電装品箱（82）や水ポンプ（44）へのアクセスが容易となり、これらのメンテナンスを容易に行うことができる。
【００１６】
第４の発明は、第２又は第３の発明において、上記第２端側架台部（70D）では、上記第１端側架台部（70A）から上記第２端側架台部（70D）に向かって順に、上記系統用電装品箱（81）、上記圧縮機（12）、及び上記水ポンプ（44）が配置されることを特徴とする。
【００１７】
第４の発明では、第２端側架台部（70D）において、系統用電装品箱（81）と水ポンプ（44）との間に圧縮機（12）が配置される。このため、系統用電装品箱（81）と水ポンプ（44）との距離を離すことができる。この結果、水ポンプ（44）の周囲に水が漏洩したとしても、この水が系統用電装品箱（81）へ到達するのを防止できる。
【００１８】
第５の発明は、第３の発明において、上記中間架台部（70B,70C）の少なくとも１つでは、上記第１端側架台部（70A）から上記第２端側架台部（70D）に向かって順に、上記系統用電装品箱（81）、上記圧縮機（12）、上記水熱交換器（35,36）が配置されることを特徴とする。
【００１９】
第５の発明では、中間架台部（70B,70C）において、系統用電装品箱（81）と水熱交換器（35,36）との間に圧縮機（12）が配置される。このため、系統用電装品箱（81）と水熱交換器（35,36）との距離を離すことができる。この結果、水熱交換器（35,36）の周囲に水が漏洩したとしても、この水が系統用電装品箱（81）へ到達するのを防止できる。
【００２０】
第６の発明は、第１乃至５のいずれか１つの発明において、上記支持架台（70）には、上記架台部（70A,70B,70C,70D）の配列方向に沿った少なくとも一方の側面にメンテナンス口（86）が形成され、上記複数の架台部（70A,70B,70C,70D）の少なくとも１つでは、上記圧縮機（12）が上記レシーバ（15）よりもメンテナンス口（86）寄りに配置されることを特徴とする。
【００２１】
第６の発明では、圧縮機（12）がレシーバ（15）よりもメンテナンス口（86）寄りに配置されるため、支持架台（70）の幅方向の側面から、メンテナンス口（86）を通じて圧縮機（12）のメンテナンスを簡便に行うことができる。レシーバ（15）は、圧縮機（12）と比べてメンテナンス頻度が低いため、レシーバ（15）を圧縮機（12）の裏側に配置したとしても大きな支障はない。
【００２２】
第７の発明は、第６の発明において、上記複数の架台部（70A,70B,70C,70D）の少なくとも１つでは、上記系統用電装品箱（81）が上記レシーバ（15）よりもメンテナンス口（86）寄りに配置されることを特徴とする。
【００２３】
第７の発明では、系統用電装品箱（81）がレシーバ（15）よりもメンテナンス口（86）寄りに配置されるため、支持架台（70）の幅方向の側面から、メンテナンス口（86）を通じて系統用電装品箱（81）のメンテナンスを簡便に行うことができる。レシーバ（15）は、系統用電装品箱（81）と比べてメンテナンス頻度が低いため、系統用電装品箱（81）の裏側にレシーバ（15）を配置したとしても大きな支障はない。
【００２４】
第８の発明は、第６又は第７の発明において、上記複数の架台部（70A,70B,70C,70D）の底部には、上記圧縮機（12）が設置されるとともに上記メンテナンス口（86）に向かって引出可能な引出底板（83）が設けられることを特徴とする。
【００２５】
第８の発明では、引出底板（83）をメンテナンス口（86）に向かって引っ張ることで、圧縮機（12）をメンテナンス口（86）の外部へ一体的に引き出すことができる。
【００２６】
第９の発明は、第１乃至第８のいずれか１つの発明において、上記各架台部（70A,70B,70C,70D）に設置される上記１つのユニットは、上記各冷媒回路（10）に接続され、対応する上記系統用電装品箱（81）の電装品（81a）を冷媒によって冷却する冷媒冷却ユニット（25）を含んでいることを特徴とする
第９の発明によれば、各架台部（70A,70B,70C,70D）にそれぞれ冷媒冷却ユニット（25）が設置される。各冷媒冷却ユニット（25）は、冷媒回路（10）を流れる冷媒によって、対応する系統用電装品箱（81）の電装品（81a）をそれぞれ冷却する。冷媒冷却ユニット（25）は、対応する圧縮機（12）や系統用電装品箱（81）ともに同じ架台部（70A,70B,70C,70D）に設置される。このため、各架台部（70A,70B,70C,70D）では、冷媒冷却ユニット（25）と圧縮機（12）と系統用電装品箱（81）との距離が比較的短くなるとともに、これらのレイアウトも各架台部（70A,70B,70C,70D）で共通化できる。この結果、冷媒冷却ユニット（25）の周囲の冷媒配管を短できるとともに、各架台部（70A,70B,70C,70D）における冷媒配管やその周辺構造の共通化を図ることができる。
【発明の効果】
【００２７】
第１の発明によれば、互いに対応する圧縮機（12）、空気熱交換器（50,60）、レシーバ（15）、及び系統用電装品箱（81）を一体的なユニットとして各架台部（70A,70B,70C,70D）に設置したため、複数の架台部（70A,70B,70C,70D）間において、冷媒配管、電気配線、その周囲の取り付け構造等を共通化できる。この結果、冷凍装置の組立性の向上や低コスト化を図ることができる。
【００２８】
また、このように圧縮機（12）、空気熱交換器（50,60）、レシーバ（15）、及び系統用電装品箱（81）を１つのユニットとして構成することで、冷凍装置に新たなユニットを増設したり、不要になったユニットを省いたりできる。
【００２９】
また、複数の架台部（70A,70B,70C,70D）を一列に配置したとしても、例えば圧縮機（12）、レシーバ（15）、空気熱交換器（50,60）を繋ぐ冷媒配管はさほど長くならない。従って、冷媒配管のレイアウトをシンプルに構成できる。
【００３０】
第２の発明によれば、冷凍装置の運転に最も重要な操作用電装品箱（82）と、水ポンプ（44）との間の距離を離すことができ、水ポンプ（44）の漏水に起因する操作用電装品箱（82）の動作不良を回避できる。
【００３１】
特に第３の発明によれば、操作用電装品箱（82）と、水ポンプ（44）との間の距離を十分に離すことができ、水ポンプ（44）の漏水に起因する操作用電装品箱（82）の動作不良を確実に回避できる。また、操作用電装品箱（82）や水ポンプ（44）のメンテナンスも容易となる。
【００３２】
第４の発明によれば、更に水ポンプ（44）と系統用電装品箱（81）との間の距離も十分に離すことができ、水ポンプ（44）の漏水に起因する系統用電装品箱（81）の動作不良も回避できる。更に、第５の発明によれば、系統用電装品箱（81）と水熱交換器（35,36）との間の距離も十分に離すことができ、水ポンプ（44）の漏水に起因する系統用電装品箱（81）の動作不良も回避できる。
【００３３】
第６の発明によれば、メンテナンス口（86）を通じて圧縮機（12）のメンテナンスを容易に行うことができる。第７の発明によれば、メンテナンス口（86）を通じて系統用電装品箱（81）のメンテナンスを容易に行うことができる。第８の発明によれば、メンテナンス用スペースが比較的狭いような状況であっても、引出底板（83）を外部へ引き出すことで、圧縮機（12）のメンテナンスを容易に行うことができる。
【００３４】
第９の発明によれば、系統用電装品箱（81）の電装品（81a）を冷却する冷媒冷却ユニット（25）の周辺の冷媒配管や取り付け構造の簡素化を図ることができる。
【図面の簡単な説明】
【００３５】
【図１】図１は、チラー装置の前側及び右側を表した全体斜視図である。
【図２】図２は、チラー装置の前側及び左側を表した全体斜視図である。
【図３】図３は、チラー装置の配管系統図である。
【図４】図４は、チラー装置の正面図である。
【図５】図５は、図４のV-V線断面図である。
【図６】図６は、第１空気熱交換器の側方の一部を拡大した概略構成図である。
【図７】図７は、第２空気熱交換器の側方の一部を拡大した概略構成図である。
【図８】図８は、機械室の内部の主要機器の配置を表した平面図である。
【図９】図９は、複数のチラー装置を左右に配置した正面図である。
【発明を実施するための形態】
【００３６】
以下、本発明の実施形態について図面を参照しながら説明する。なお、以下の実施形態は、本質的に好ましい例示であって、本発明、その適用物、あるいはその用途の範囲を制限することを意図するものではない。
【００３７】
《発明の実施形態》
本発明の冷凍装置は、冷媒によって水を冷却及び加熱する冷温水式のチラー装置（1）である。図１及び図２に示すように、チラー装置（1）は、例えば４つの熱源ユニット（5A,5B,5C,5D）が一列に配列されて構成される。
【００３８】
−チラー装置の配管系統−
チラー装置（1）の配管系統について図３を参照しながら説明する。チラー装置（1）は、４つの冷媒回路（10）と、１つの水回路（40）と、各冷媒回路（10）と水回路（40）とに接続する２つの水熱交換器（35,36）とを有する。各冷媒回路（10）では、冷媒が循環することで蒸気圧縮式の冷凍サイクルが行われる。水回路（40）には、所定の水供給源より流入水が供給される。水回路（40）で加熱又は冷却された後の流出水は、所定の温度調節の対象へ供給される。なお、冷媒回路（10）、水熱交換器（35,36）、及び水回路（40）の数量は単なる例示であり、他の数量であってもよい。
【００３９】
〈冷媒回路〉
各冷媒回路（10）は、熱源回路（11）及び利用回路（30）が接続されて構成される。４つの熱源回路（11）は、上述した４つの熱源ユニット（5A,5B,5C,5D）に一つずつ対応している。熱源回路（11）及び利用回路（30）の構成は基本的に同じであるため、図３では、第１熱源ユニット（5A）の熱源回路（11）の詳細構造を図示し、他の熱源ユニット（5B,5C,5D）の熱源回路（11）の詳細構造の図示は省略している。
【００４０】
〔熱源回路〕
熱源回路（11）は、対応する熱源ユニット（5A,5B,5C,5D）にそれぞれ設けられる。熱源回路（11）には、圧縮機（12）、第１空気熱交換器（50）、第２空気熱交換器（60）、第１膨張弁（13）、第２膨張弁（14）、レシーバ（15）、及び四方切換弁（16）が接続される。
【００４１】
圧縮機（12）は、冷媒を吸入して圧縮した後、圧縮された冷媒を吐出する。第１空気熱交換器（50）及び第２空気熱交換器（60）は、フィンアンドチューブ式の熱交換器である。各空気熱交換器（50,60）では、ファン（17）が搬送する空気と冷媒とが熱交換する。第１膨張弁（13）及び第２膨張弁（14）は、それぞれ開度が可変な電動弁で構成される。互いに隣接する第１空気熱交換器（50）及び第２空気熱交換器（60）は、冷媒と空気とを熱交換させる熱交換部（48）を構成する。
【００４２】
第１空気熱交換器（61）及び第１膨張弁（13）は、第１並列回路（18）に接続され、第２空気熱交換器（60）及び第２膨張弁（14）は、第２並列回路（19）に接続される。第１並列回路（18）及び第２並列回路（19）は、互いに並列な関係となる冷媒並列回路を構成している。
【００４３】
レシーバ（15）は、縦長の中空密閉状の容器であり、冷媒調整器を構成している。レシーバ（15）の内部には、余剰の冷媒が貯留される。
【００４４】
四方切換弁（16）は、第１から第４までのポートを有している。四方切換弁（16）では、第１ポートが圧縮機（12）の吐出部と接続し、第２ポートが圧縮機（12）の吸入部と接続し、第３ポートが各空気熱交換器（50,60）のガス端部と接続し、第４ポートが利用回路（30）のガスライン（31）と接続する。四方切換弁（16）は、第１ポートと第３ポートとが連通し且つ第２ポートと第４ポートとが連通する状態（図３の実線で示す第１状態）と、第１ポートと第４ポートとが連通し且つ第２ポートと第３ポートとが連通する状態（図３の破線で示す第２状態）とに切り換わる。
【００４５】
熱源回路（11）には、過冷却ユニット（20）と、冷媒冷却ユニット（25）とが接続される。
【００４６】
過冷却ユニット（20）は、過冷却熱交換器（21）と、インジェクション回路（22）と、第１電動弁（23）と有する。過冷却熱交換器（21）は、レシーバ（15）と連通する第１流路（21a）と、インジェクション回路（22）に接続する第２流路（21b）とを有する。インジェクション回路（22）は、流入端がレシーバ（15）と過冷却ユニット（20）の間に接続され、流出端が圧縮機（12）の吸入部に連通する。第１電動弁（23）は、インジェクション回路（22）のうち第２流路（21b）の上流側に接続される。第１電動弁（23）は、開度が可変な電子膨張弁で構成される。過冷却熱交換器（21）では、第１流路（21a）を流れる液冷媒と、第２流路（21b）を流れる冷媒とが熱交換する。これにより、過冷却熱交換器（21）では、第１流路（21a）を流れる液冷媒が冷却される。
【００４７】
冷媒冷却ユニット（25）は、冷却回路（26）と伝熱部材（27）とを有する。冷却回路（26）の一端は２手に分岐している。冷却回路（26）の２つ分岐部の一方は、第１並列回路（18）における第１空気熱交換器（50）と第１膨張弁（13）の間に接続される。冷却回路（26）の２つの分岐部の他方は、第２並列回路（19）における第２空気熱交換器（60）と第２膨張弁（14）の間に接続される。冷却回路（26）の他端は、レシーバ（15）と２つの膨張弁（13,14）の間に接続される。冷却回路（26）には、例えば電子膨張弁である第２電動弁（28）が接続される。
【００４８】
伝熱部材（27）は、例えば平板状のアルミニウム等の熱伝導率の高い材料で構成されている。伝熱部材（27）の一方の面には、冷却回路（26）を構成する伝熱管が熱的に接触している。伝熱部材（27）の他方の面には、電装品（81a）（例えばスイッチング素子を有するインバータ基板等）が熱的に接触している。これにより、冷媒冷却ユニット（25）の冷媒は、電装品（81a）の冷却に利用される。
【００４９】
熱源回路（11）には、各種のセンサが設けられる。具体的には、第１空気熱交換器（50）のガス端部には、第１冷媒温度センサ（29a）が接続される。第２空気熱交換器（60）のガス端部には、第２冷媒温度センサ（29b）が接続される。圧縮機（12）の吸入部には、吸入圧力センサ（29c）が接続される。第１冷媒温度センサ（29a）は、蒸発器となる第１空気熱交換器（50）を流出した冷媒の温度を検出する。第２冷媒温度センサ（29b）は、蒸発器となる第２空気熱交換器（60）を流出した冷媒の温度を検出する。吸入圧力センサ（29c）は、圧縮機（12）に吸入される吸入冷媒（低圧冷媒）の圧力を検出する。
【００５０】
〔利用回路〕
利用回路（30）は、各熱源ユニット（5A,5B,5C,5D）と水熱交換器（35,36）との間に接続される。具体的には、第１熱源ユニット（5A）に対応する利用回路（30）は、第１水熱交換器（35）の第１冷媒側流路（35a）に接続する。第２熱源ユニット（5B）に対応する利用回路（30）は、第１水熱交換器（35）の第２冷媒側流路（35b）に接続する。第３熱源ユニット（5C）に対応する利用回路（30）は、第２水熱交換器（36）の第３冷媒側流路（36a）に接続する。第４熱源ユニット（5D）に対応する利用回路（30）は、第２水熱交換器（36）の第４冷媒側流路（36b）に接続する。
【００５１】
各利用回路（30）は、ガスライン（31）と液ライン（32）とをそれぞれ有している。ガスライン（31）は、水熱交換器（35,36）のガス端部と四方切換弁（16）の第４ポートとの間に接続する。液ライン（32）は、水熱交換器（35,36）の液端部と過冷却熱交換器（21）との間に接続する。液ライン（32）には、例えば電子膨張弁である第３膨張弁（33）が接続される。
【００５２】
〈水回路〉
水回路（40）は、上流側から下流側に向かって順に、流入管（41）、中継管（42）、及び流出管（43）を有している。流入管（41）は、第１水熱交換器（35）の第１水流路（35c）の流入端に接続する。中継管（42）は、第１水熱交換器（35）の第１水流路（35c）と第２水熱交換器（36）の第２水流路（36c）との間に接続する。流出管（43）は、第２水熱交換器（36）の第２水流路（36c）の流出端に接続する。流入管（41）には、水回路（40）の水を搬送する水ポンプ（44）が接続される。
【００５３】
〈制御部〉
チラー装置（1）は、冷媒回路（10）の各機器を制御する制御部（81b）を有している。制御部（81b）は、例えばマイクロコンピュータ及びメモリを有し、第１膨張弁（13）及び第２膨張弁（14）の開度を制御する。具体的に、制御部（81b）は、後述する加熱動作において、第１空気熱交換器（50）を流出する冷媒の過熱度を示す指標が目標値に近づくように、第１膨張弁（13）の開度を制御する。また、制御部（81b）は、加熱動作において、第２空気熱交換器（60）を流出する冷媒の過熱度を示す指標が目標値に近づくように、第２膨張弁（14）の開度を制御する。
【００５４】
−チラー装置の運転動作−
チラー装置（1）の基本的な運転動作について、図３を参照しながら説明する。チラー装置（1）では、水を冷却する冷却運転と、水を加熱する加熱運転とが切り換えて行われる。
【００５５】
〈冷却運転〉
冷却運転では、四方切換弁（16）が第１状態となり、各空気熱交換器（50,60）が放熱器ないし凝縮器となり且つ水熱交換器（35,36）が蒸発器となる冷凍サイクルが行われる。具体的には、圧縮機（12）で圧縮された冷媒は、第１空気熱交換器（50）と第２空気熱交換器（60）とに分流する。各空気熱交換器（50,60）では、冷媒が室外空気に放熱して凝縮する。第１空気熱交換器（50）で放熱した冷媒は、全開状態の第１膨張弁（13）を通過する。第２空気熱交換器（60）で放熱した冷媒は、全開状態の第２膨張弁（14）を通過する。レシーバ（15）で合流した冷媒は、過冷却熱交換器（21）を通過し、第３膨張弁（33）で減圧された後、水熱交換器（35,36）を流れる。水熱交換器（35,36）では、冷媒が水回路（40）の水から吸熱して蒸発し、この水が冷却される。水熱交換器（35,36）で蒸発した冷媒は、圧縮機（12）に吸入されて圧縮される。
【００５６】
〈加熱運転〉
加熱運転では、四方切換弁（16）が第２状態となり、水熱交換器（35,36）が放熱器ないし凝縮器となり且つ各空気熱交換器（50,60）が蒸発器となる冷凍サイクルが行われる。具体的には、圧縮機（12）で圧縮された冷媒は、水熱交換器（35,36）を流れる。水熱交換器（35,36）では、冷媒が水回路（40）の水へ放熱して凝縮し、この水が加熱される。水熱交換器（35,36）で凝縮した冷媒は、全開状態の第３膨張弁（33）、過冷却熱交換器（21）、及びレシーバ（15）を順に通過し、第１膨張弁（13）と第２膨張弁（14）とに分流する。第１膨張弁（13）で減圧された冷媒は、第１空気熱交換器（50）で蒸発する。第２膨張弁（14）で減圧された冷媒は、第２空気熱交換器（60）で蒸発する。各空気熱交換器（50,60）で蒸発した冷媒は、合流した後、圧縮機（12）に吸入されて圧縮される。
【００５７】
加熱運転では、制御部（81b）によって第１膨張弁（13）及び第２膨張弁（14）の開度が個別に調節される。具体的には、第１膨張弁（13）の開度は、第１空気熱交換器（50）を流出する冷媒の過熱度が所定値になるように調節される。第２膨張弁（14）の開度は、第２空気熱交換器（60）を流出する冷媒の過熱度が所定値になるように調節される。ここで、第１空気熱交換器（50）を流出する冷媒の過熱度は、例えば第１冷媒温度センサ（29a）で検出した冷媒の温度と、吸入圧力センサ（29c）で検出した冷媒の圧力に相当する飽和温度との差から求められる。同様に、第２空気熱交換器（60）を流出する冷媒の過熱度は、例えば第２冷媒温度センサ（29b）で検出した冷媒の温度と、吸入圧力センサ（29c）で検出した冷媒の圧力に相当する飽和温度との差から求められる。なお、このように過熱度を直接算出せずに、冷媒の温度や圧力を過熱度を示す指標としてそのまま用いることもできる。
【００５８】
このように、加熱動作において、第１空気熱交換器（50）及び第２空気熱交換器（60）を流出する冷媒の過熱度を個別に制御することで、各空気熱交換器（50,60）において冷媒を所定の過熱度まで確実に蒸発させることができる。即ち、各空気熱交換器（50,60）において冷媒が湿り状態のまま流出したり、冷媒が過剰な乾き状態となって流出したりすることを確実に回避できる。これにより、各空気熱交換器（50,60）の蒸発能力を十分に確保できる。また、圧縮機（12）に液冷媒が吸入されてしまうことを確実に回避できる。
【００５９】
−チラー装置の構造−
次いで、チラー装置（1）の詳細な構造について、図１〜図８を参照しながら説明する。なお、以下の説明において「前」、「後」、「右」、「左」、「上」、及び「下」の方向を表す記載は、原則として図１に記載された方向を基準とする。
【００６０】
〈全体の概略構成〉
チラー装置（1）は、４つの熱源ユニット（5A,5B,5C,5D）が前後方向に配列されている。４つの熱源ユニット（5A,5B,5C,5D）は、前側から後側に向かって順に、第１熱源ユニット（5A）、第２熱源ユニット（5B）、第３熱源ユニット（5C）、及び第４熱源ユニット（5D）で構成される。
【００６１】
各熱源ユニット（5A,5B,5C,5D）は、１つの上部ケーシング（46）と１つの架台部（70A,70B,70C,70D）とをそれぞれ有する。これらの架台部（70A,70B,70C,70D）は、第１熱源ユニット（5A）に対応する第１架台部（70A）と、第２熱源ユニット（5B）に対応する第２架台部（70B）と、第３熱源ユニット（5C）に対応する第３架台部（70C）と、第４熱源ユニット（5D）に対応する第４架台部（70D）とを有する。これらの架台部（70A,70B,70C,70D）が前後方向に連なることで一体的な支持架台（70）を構成している。第１架台部（70A）は、最も前側に配置される第１側端架台部を構成している。第４架台部（70D）は、最も後側に配置される第２側端架台部（70A,70B,70C,70D）を構成している。第２架台部（70B）及び第３架台部（70C）は、第１架台部（70A）と第４架台部（70D）との間に配置される中間架台部をそれぞれ構成している。これらの架台部（70A,70B,70C,70D）の数量は単なる一例であるが、架台部は２つ以上、更に３つ以上であるのが好ましく、５つ以上であってもよい。
【００６２】
各上部ケーシング（46）と各架台部（70A,70B,70C,70D）との間には、熱交換部（48）を構成する第１空気熱交換器（50）及び第２空気熱交換器（60）と、第２空気熱交換器（60）を覆う中間枠部（65A,65B,65C,65D）とがそれぞれ設けられる。
【００６３】
〈上部ケーシング〉
上部ケーシング（46）は、熱源ユニット（5A,5B,5C,5D）の上端部に設けられる。各上部ケーシング（46）は、扁平な中空の矩形箱状に形成される。上部ケーシング（46）の内部には、それぞれファン（17）が収容される（図４を参照）。上部ケーシング（46）の上側には、円形の吹出口（46a）が形成される（図１及び図２を参照）。ファン（17）が作動すると、２つの空気熱交換器（50,60）の外側の空気が、該２つの空気熱交換器（50,60）の内部へ流入する。この空気は２つの空気熱交換器（50,60）の内部を上方へ流れ、吹出口（46a）より上方へ吹き出される。
【００６４】
〈第１空気熱交換器〉
第１空気熱交換器（50）は、各熱源ユニット（5A,5B,5C,5D）ないし各架台部（70A,70B,70C,70D）に１つずつ対応して設けられる。各第１空気熱交換器（50）は、空気が通過する第１〜第３側面部（51,52,53）をそれぞれ有する。第１〜第３側面部（51,52,53）は、空気が通過する通風部を構成する。
【００６５】
第１側面部（51）及び第２側面部（52）は、互いに対向する一対の側面部である。第１側面部（51）は、第１空気熱交換器（50）の前側面を構成し、第２側面部（52）は、第１空気熱交換器（50）の後側面を構成する。第３側面部（53）は、第１側面部（51）と第２側面部（52）との間に連続して形成される中央の側面部であり、第１空気熱交換器（50）の左側面を構成する。４つの第１空気熱交換器（50）は、第３側面部（53）が水平方向（前後方向）に連なるように互いに隣接して配置される。
【００６６】
図５に示すように、第１空気熱交換器（50）は、平面視において各側面部（51,52,53）が略Ｕ字形状に配列されるように構成される。第１空気熱交換器（50）のうち各側面部（51,52,53）がない側面に開放面（54）が形成される。第１空気熱交換器（50）は、各側面部（51,52,53）が垂直となる縦置き式である。第１空気熱交換器（50）の各側面部（51,52,53）の周囲には、部材等が設けられていない。このため、ファン（17）が作動すると、第１空気熱交換器（50）の周囲の空気が各側面部（51,52,53）をそれぞれ通過し、第１空気熱交換器（50）の内部へ流入する。
【００６７】
第１空気熱交換器（50）では、第１側面部（51）及び第２側面部（52）が平面視において略ハの字状に配列される。即ち、第１側面部（51）及び第２側面部（52）は、各々の側端部に向かうにつれて互いの間隔が拡がるような先広がりの配置となっている。換言すると、第１側面部（51）及び第２側面部（52）は、第３側面部（53）と鈍角をなすように外方（前後方向）に傾いている。即ち、図５に示すように、第１空気熱交換器（50）では、第１側面部（51）に沿った仮想平面Ｐ１と、第３側面部（53）に沿った仮想平面Ｐ３とがなす角度θ１は９０度より大きい。また、第１空気熱交換器（50）では、第２側面部（52）に沿った仮想平面Ｐ２と、第３側面部（53）に沿った仮想平面Ｐ３とがなす角度θ２が９０度より大きい。
【００６８】
図５に示すように、前後に隣り合う一対の第１空気熱交換器（50）の間には、それぞれ空気が流通可能な流通空間（55）が形成される。流通空間（55）は、平面視において第３側面部（53）に近づくにつれて幅広となっている。このように流通空間（55）の開口側を幅広に形成することで、空気が流通空間（55）の内部へ流入しやすくなる。
【００６９】
〈第２空気熱交換器〉
図４及び図５に示すように、第２空気熱交換器（60）は、第１空気熱交換器（50）の右側の開放面（54）に対向するように配置される。第２空気熱交換器（60）は、全体の外形として略平板状に形成される。第２空気熱交換器（60）の全域には、略平面に形成され左右方向に傾斜した斜面部（61）が形成される。第２空気熱交換器（60）ないし斜面部（61）は、これらの上端に向かうにつれて第１空気熱交換器（50）の開放面（54）から離れるように傾斜している。
【００７０】
第２空気熱交換器（60）の上端の高さ位置は、第１空気熱交換器（50）の上端の高さ位置と概ね等しい。また、第２空気熱交換器（60）の下端の高さ位置は、第１空気熱交換器（50）の下端の高さ位置と概ね等しい。第２空気熱交換器（60）は、第１空気熱交換器（50）の開放面（54）の全域を覆うように配置される。
【００７１】
〈第１空気熱交換器（50）と第２空気熱交換器（60）の冷媒流路（C）の列数〉
図６に示すように、第１空気熱交換器（50）では、空気の通過方向（第１フィン（56）の幅方向）における冷媒流路（C）の列数（パス数）が３列である。これに対し、図７に示すように、第２空気熱交換器（60）では、空気の通過方向（第２フィン（62）の幅方向）における冷媒流路（C）の列数（パス数）が４列である。即ち、第２空気熱交換器（60）の冷媒流路（C）の列数は、第１空気熱交換器（50）の冷媒流路（C）の列数よりも多い。また、本実施形態では、第１空気熱交換器（50）の第１フィン（56）の幅と、第２空気熱交換器（60）の第２フィン（62）の幅とが概ね等しい。
【００７２】
図４に示すように、第２空気熱交換器（60）は、その流出面がファン（17）側を向くように斜めに配置される。このため、実施形態に係る第２空気熱交換器（60）の流出面は、第２空気熱交換器（60）を縦置きとした場合と比較して、ファン（17）から近くなり、空気が円滑に流れやすくなる。つまり、第２空気熱交換器（60）を斜め配置とすることで、第２空気熱交換器（60）からファン（17）までの間の流路抵抗を低減できる。従って、第２空気熱交換器（60）の冷媒流路（C）の列数を、第１空気熱交換器（50）の冷媒流路（C）の列数よりも多くすることで、第２空気熱交換器（60）の通風量を十分に確保しつつ、第２空気熱交換器（60）の全体の伝熱面積を拡大できる。
【００７３】
なお、第２空気熱交換器（60）の冷媒流路（C）の列数と、第１空気熱交換器（50）の冷媒流路（C）の列数とを同じ（例えば３列）としてもよい。
【００７４】
〈中間枠部〉
図５等に示すように、４つの中間枠部（65A,65B,65C,65D）は、第１熱源ユニット（5A）に対応する第１中間枠部（65A）、第２熱源ユニット（5B）に対応する第２中間枠部（65B）、第３熱源ユニット（5C）に対応する第３中間枠部（65C）、及び第４熱源ユニット（5D）に対応する第４中間枠部（65D）とで構成される。中間枠部（65A,65B,65C,65D）は、第２空気熱交換器（60）を覆うように配置される。４つの中間枠部（65A,65B,65C,65D）は、第２空気熱交換器（60）に沿って傾斜した枠板（66）をそれぞれ有している。枠板（66）には、第２空気熱交換器（60）を外側から覆う枠状に形成され、その内部に空気の通風開口（66a）が形成される（図１を参照）。即ち、第２空気熱交換器（60）の斜面部（61）は、枠板（66）の通風開口（66a）を通じて外部へ露出している。
【００７５】
図１、図５等に示すように、第１中間枠部（65A）の前側には、第１遮蔽板（67）が形成される。第１遮蔽板（67）は、第１中間枠部（65A）の枠板（66）の前端から第１空気熱交換器（50）の第１側面部（51）の側端部の近傍に亘って形成される。これにより、第１遮蔽板（67）は、第１空気熱交換器（50）の第１側面部（51）と第２空気熱交換器（60）との間を空気が通り抜けることを防止している。第１遮蔽板（67）は、下方に向かって左右の幅が狭くなるような、逆台形状ないし直角三角形状に形成される。
【００７６】
図５に示すように、第４中間枠部（65D）の後側には、第１遮蔽板（67）と略同一形状の第２遮蔽板（68）が形成される。第２遮蔽板（68）は、第４中間枠部（65D）の枠板（66）の後端から第１空気熱交換器（50）の第２側面部（52）の側端部の近傍に亘って形成される。これにより、第２遮蔽板（68）は、第１空気熱交換器（50）の第２側面部（52）と第２空気熱交換器（60）との間を空気が通り抜けることを防止している。第２遮蔽板（68）は、下方に向かって左右の幅が狭くなるような、逆台形状ないし直角三角形状に形成される。
【００７７】
隣り合う第２空気熱交換器（60）の間には、第１遮蔽板（67）や第２遮蔽板（68）と略同一形状の中間遮蔽板（69）がそれぞれ設けられる。つまり、中間遮蔽板（69）は、正面視において第１遮蔽板（67）及び第２遮蔽板（68）と略同一の投影面を形成する位置及び形状に構成される。複数の（本例では３つの）中間遮蔽板（69）の右端は、隣り合う枠板（66）の側端に固定される。各中間遮蔽板（69）の左端は、隣り合う第１空気熱交換器（50）の一対の側面部（51,52）の側端部の近傍まで延びている。中間遮蔽板（69）は、隣り合う熱源ユニット（5A,5B,5C,5D）の間において、一方の熱源ユニット（5A,5B,5C,5D）の内部の空気が他方の熱源ユニット（5A,5B,5C,5D）へ偏流してしまうのを防止している。
【００７８】
〈支持架台〉
支持架台（70）は、前後に横長の略直方体状に形成される。支持架台（70）は、第１〜第２横フレーム（71a,71b）と、第１〜第４縦フレーム（72a,72b,72c,72d）と、第１〜第６中間フレーム（73a,73b,73c,73d,73e,73f）とを有する。
【００７９】
第１横フレーム（71a）は、支持架台（70）の右端に配置され、第２横フレーム（71b）は、支持架台（70）の左端に配置される。第１横フレーム（71a）と第２横フレーム（71b）とは、互いに平行になるように前後方向に延びる棒状に形成される。
【００８０】
第１縦フレーム（72a）は、第１横フレーム（71a）の前端に固定され、第２縦フレーム（72b）は、第１横フレーム（71a）の後端に固定される。第３縦フレーム（72c）は、第２横フレーム（71b）の前端に固定され、第４縦フレーム（72d）は、第２横フレーム（71b）の後端に固定される。
【００８１】
第１〜第３中間フレーム（73a,73b,73c）は、第１横フレーム（71a）の中間部に固定され、前後方向に配列される。第４〜第６中間フレーム（73d,73e,73f）は、第２横フレーム（71b）の中間部に固定され、前後方向に配列される。第１〜第６中間フレーム（73f）は、各横フレーム（71a,71b）の中間部から上方に延びる縦長の棒状に形成され、互いに平行に配置される。
【００８２】
支持架台（70）の上端には、１つの基台部（74）が設けられる。基台部（74）は、第１〜第４縦フレーム（72d）及び第１〜第６中間フレーム（73f）に支持されている。基台部（74）は、前後に横長の板状ないし直方体状に形成され、各横フレーム（71a,71b）と平行に延びている。基台部（74）の上面には、２つの空気熱交換器（50,60）（熱交換部（48））及び中間枠部（65A,65B,65C,65D）が設置される。
【００８３】
支持架台（70）の前面には、前面パネル（75）が垂直な状態で設けられる。前面パネル（75）は第１縦フレーム（72a）及び第３縦フレーム（72c）に着脱可能に取り付けられる。支持架台（70）の後面には、後面パネル（76）が垂直な状態で設けられる。後面パネル（76）は、第２縦フレーム（72b）及び第４縦フレーム（72d）に着脱可能に取り付けられる。
【００８４】
支持架台（70）の右側には、第１架台側板（77）が形成される。第１架台側板（77）は、第１空気熱交換器（50）の開放面（54）の下側に位置している。第１架台側板（77）は、垂直な第１〜第４側面パネル（77a,77b,77c,77d）を含んでいる。第１側面パネル（77a）は、第１縦フレーム（72a）及び第１中間フレーム（73a）に着脱可能に取り付けられる。第２側面パネル（77b）は、第１中間フレーム（73a）及び第２中間フレーム（73b）に着脱可能に取り付けられる。第３側面パネル（77c）は、第２中間フレーム（73b）及び第３中間フレーム（73c）に着脱可能に取り付けられる。第４側面パネル（77d）は、第３中間フレーム（73c）及び第２縦フレーム（72b）に着脱可能に取り付けられる。
【００８５】
支持架台（70）の左側には、第２架台側板（78）が形成される。第２架台側板（78）は、第１空気熱交換器（50）の下側に位置している。第２架台側板（78）は、垂直な第５〜第８側面パネル（78a,78b,78c,78d）を含んでいる。第５側面パネル（78a）は、第３縦フレーム（72c）及び第４中間フレーム（73d）に着脱可能に取り付けられる。第６側面パネル（78b）は、第４中間フレーム（73d）及び第５中間フレーム（73e）に着脱可能に取り付けられる。第７側面パネル（78c）は、第５中間フレーム（73e）及び第６中間フレーム（73f）に着脱可能に取り付けられる。第８側面パネル（78d）は、第６中間フレーム（73f）及び第４縦フレーム（72d）に着脱可能に取り付けられる。
【００８６】
支持架台（70）の第１架台側板（77）と第２架台側板（78）との間には、第１〜第４機械室（S1,S2,S3,S4）が区画される。第１〜第４機械室（S1,S2,S3,S4）は、各々が直方体状の空間で構成され、前後方向に一列に配列される。具体的には、第１側面パネル（77a）と第５側面パネル（78a）の間に第１機械室（S1）が区画され、第２側面パネル（77b）と第６側面パネル（78b）の間に第２機械室（S2）が区画される。第３側面パネル（77c）と第７側面パネル（78c）の間に第３機械室（S3）が区画され、第４側面パネル（77d）と第８側面パネル（78d）の間に第４機械室（S4）が区画される。
【００８７】
支持架台（70）では、第１機械室（S1）を区画するための部品が第１架台部（70A）を構成し、第２機械室（S2）を区画するための部品が第２架台部（70B）を構成し、第３機械室（S3）を区画するための部品が第３架台部（70C）を構成し、第４機械室（S4）を区画するための部品が第４架台部（70D）を構成する。
【００８８】
なお、本実施形態では、例えば第１〜第２横フレーム（71a,71b）や基台部（74）が、各架台部（70A,70B,70C,70D）の機械室（S1,S2,S3,S4）を区画するための部品として共用されている。しかし、第１〜第２横フレーム（71a,71b）や基台部（74）を、各機械室（S1,S2,S3,S4）ないし各架台部（70A,70B,70C,70D）に対応する部分毎に分割してもよい。このようにすると、各架台部（70A,70B,70C,70D）を各熱源ユニット（5A,5B,5C,5D）とともに独立して移動させる（例えば持ち上げる）ことができる。
【００８９】
〈脚部〉
図１、図２、及び図４等に示すように、上述した支持架台（70）の下端には、２本の脚部（79）が設けられる。一方の脚部（79）は、前面パネル（75）の下端に固定され、他方の脚部（79）は後面パネル（76）の下端に固定される。各脚部（79）は、第１架台側板（77）の下端から右側に向かって水平に延びている。即ち、各脚部（79）の突出部分は、第２空気熱交換器（60）ないし中間枠部（65A,65B,65C,65D）の下側に位置している。脚部（79）の本数はこれに限らず、３本以上であってもよい。
【００９０】
図４に示すように、チラー装置（1）の全体の外形は、前面視において略逆Ｌ字状に形成される。つまり、チラー装置（1）では、第２空気熱交換器（60）やその周囲の部品が、第２架台側板（78）よりも外方（右側）へ張り出している。このため、チラー装置（1）は、右側へ転倒してしまうおそれがある。これに対し、脚部（79）は、支持架台（70）の下端から第２空気熱交換器（60）の張り出す方向へ延びているため、このような転倒を確実に回避できる。
【００９１】
〈機械室での主要機器のレイアウト〉
次いで機械室（S1,S2,S3,S4）の内部の主要機器のレイアウトについて図８を参照しながら説明する。なお、図８では、冷媒回路（10）を構成するための冷媒配管の図示を省略している。
【００９２】
〔レイアウトの概要〕
各機械室（S1,S2,S3,S4）には、圧縮機（12）、レシーバ（15）、系統用電装品箱（81）がそれぞれ１つずつ設置される。各系統用電装品箱（81）は、対応する圧縮機（12）へ電力を供給するインバータ基板等の電装品（81a）が設けられる。また、各機械室（S1,S2,S3,S4）には、各系統用電装品箱（81）の各電装品（81a）を冷却するための上述した冷媒冷却ユニット（25）がそれぞれ設けられる（図８において図示省略）。また、各系統用電装品箱（81）には、対応する冷媒回路（10）の第１膨張弁（13）及び第２膨張弁（14）を制御する制御部（81b）が設けられる。
【００９３】
第１機械室（S1）には、操作用電装品箱（82）が設置される。操作用電装品箱（82）には、冷凍装置の運転を操作するための操作部（82a）が設けられる。第２機械室（S2）には、第１水熱交換器（35）が設置される。第３機械室（S3）には、第２水熱交換器（36）が設置される。第４機械室（S4）には、水ポンプ（44）が設置される。
【００９４】
〔引出底板〕
各機械室（S1,S2,S3,S4）には、それぞれ１つずつ引出底板（83）が設置されている。引出底板（83）は、前後にやや横長の矩形状に形成され、対応する機械室（S1,S2,S3,S4）の底部を構成している。引出底板（83）は、支持架台（70）の右側に形成されるメンテナンススペース（85）に向かってスライド可能に支持架台（70）に取り付けられる。
【００９５】
〔第１機械室〕
第１機械室（S1）には、圧縮機（12）、レシーバ（15）、系統用電装品箱（81）、及び操作用電装品箱（82）が設置される。圧縮機（12）は、第１機械室（S1）の前後方向の中央部で且つ第１架台側板（77）寄り（メンテナンススペース（85）寄り）に配置される。第１機械室（S1）では、圧縮機（12）よりも前側（前面パネル（75）寄り）に操作用電装品箱（82）が配置される。第１機械室（S1）では、圧縮機（12）よりも後側（後面パネル（76）ないし第４機械室（S4）寄り）にレシーバ（15）が配置される。第１機械室（S1）では、レシーバ（15）の左側に系統用電装品箱（81）が配置される。
【００９６】
〔第２機械室〕
第２機械室（S2）には、圧縮機（12）、レシーバ（15）、系統用電装品箱（81）、及び第１水熱交換器（35）が設置される。第２機械室（S2）の第１架台側板（77）寄りには、前面側から後面側に向かって順に、系統用電装品箱（81）、圧縮機（12）、及び第１水熱交換器（35）が配置される。つまり、第２機械室（S2）では、系統用電装品箱（81）と第１水熱交換器（35）との間に圧縮機（12）が配置される。第２機械室（S2）には、中継管（42）及び流出管（43）の各一部が配置される。中継管（42）及び流出管（43）は、第２機械室（S2）の第２架台側板（78）寄りに配置される。
【００９７】
〔第３機械室〕
第３機械室（S3）には、圧縮機（12）、レシーバ（15）、系統用電装品箱（81）、及び第２水熱交換器（36）が設置される。第３機械室（S3）の第１架台側板（77）寄りには、前面側から後面側に向かって順に、系統用電装品箱（81）、圧縮機（12）、及び第２水熱交換器（36）が配置される。つまり、第３機械室（S3）では、系統用電装品箱（81）と第２水熱交換器（36）との間に圧縮機（12）が配置される。第３機械室（S3）には、流入管（41）、中継管（42）及び流出管（43）の各一部が配置される。流入管（41）、中継管（42）及び流出管（43）は、第３機械室（S3）の第２架台側板（78）寄りに配置される。第３機械室（S3）では、中継管（42）及び流出管（43）と、系統用電装品箱（81）の間にレシーバ（15）が配置される。
【００９８】
〔第４機械室〕
第４機械室（S4）には、圧縮機（12）、レシーバ（15）、系統用電装品箱（81）、及び水ポンプ（44）が設置される。第４機械室（S4）の第１架台側板（77）寄りには、前面側から後面側に向かって順に、系統用電装品箱（81）、圧縮機（12）、及び水ポンプ（44）が配置される。つまり、第４機械室（S4）では、系統用電装品箱（81）と水ポンプ（44）との間に圧縮機（12）が配置される。第４機械室（S4）には、流入管（41）及び流出管（43）の各一部が配置される。流入管（41）及び流出管（43）は、第４機械室（S4）の第２架台側板（78）寄りに配置される。第４機械室（S4）では、流入管（41）及び流出管（43）と、系統用電装品箱（81）の間にレシーバ（15）が配置される。流入管（41）の流入部は、第４機械室（S4）から第２架台側面（第４側面パネル（77d））を貫通し、外部へ延びている。流出管（43）の流出部は、第４機械室（S4）から後面パネル（76）を貫通し、外部へ延びている。
【００９９】
〈メンテナンス構造〉
図８に示すように、チラー装置（1）は、前面パネル（75）及び第１架台側板（77）が主なメンテナンス面を構成している。前面パネル（75）を取り外すと、操作用電装品箱（82）が前面メンテナンス口（86）を通じて外部へ露出する。これにより、操作用電装品箱（82）に容易にアクセスできる。第１架台側板（77）を構成する第１〜第４側面パネル（77a,77b,77c,77d）を取り外すと、各機械室（S1,S2,S3,S4）の圧縮機（12）や、第２〜第４機械室（S4）の系統用電装品箱（81）が側面メンテナンス口（87）を通じて外部へ露出する。これにより、各機械室（S1,S2,S3,S4）の圧縮機（12）や、第２〜第４機械室（S4）の系統用電装品箱（81）に容易にアクセスできる。なお、第１機械室（S1）の系統用電装品箱（81）のアクセスは、第５側面パネル（78a）（図２を参照）を取り外して行うことができる。
【０１００】
また、第１〜第４側面パネル（77a,77b,77c,77d）（図１を参照）を取り外すことで、各引出底板（83）をメンテナンススペース（85）側に引き出すことができる。これにより、圧縮機（12）や他の機器をメンテナンススペース（85）に引き出した後、作業を行うことができる。
【０１０１】
図９に示すように、チラー装置（1）を左右方向に複数設置することもある。この場合、隣り合う２つのチラー装置（1）のうち、一方のチラー装置（1）の第１架台側板（77）と、他方のチラー装置（1）の第２架台側板（78）とを対向して配置する。この場合、隣り合う支持架台（70）の間では、第２空気熱交換器（60）の下側に比較的広いメンテナンススペース（85）を確保できる。従って、複数のチラー装置（1）の間隔を狭くしながら、各機器のメンテナンスを行うことができる。
【０１０２】
−実施形態の効果−
上記実施形態では、各架台部（70A,70B,70C,70D）において、同じ冷媒回路（10）に接続される圧縮機（12）、２つの空気熱交換器（50,60）、及びレシーバ（15）と、この圧縮機（12）に対応する系統用電装品箱（81）とが１つのユニットとして集約して配置される。加えて、各架台部（70A,70B,70C,70D）では、同じ冷媒回路（10）に接続される過冷却ユニット（20）及び冷媒冷却ユニット（25）も１つのユニットとして集約して配置される。このため、４つの架台部（70A,70B,70C,70D）の間では、冷媒配管、電気配線、その周囲の取り付け構造が類似する、あるいは同じとなるため、これらの部品の共通化を図ることができる。この結果、冷凍装置（1）の装置構造の簡素化、低コスト化を図ることができる。
【０１０３】
上記実施形態では、操作用電装品箱（82）が設置される第１架台部（70A）と、水ポンプ（44）が設置される第４架台部（70D）との間に、第２架台部（70B）及び第３架台部（70C）を配置しているため、操作用電装品箱（82）と水ポンプ（44）との距離を離すことができる。また、第４架台部（70D）では、系統用電装品箱（81）と水ポンプ（44）との間に圧縮機（12）を配置しているため、系統用電装品箱（81）と水ポンプ（44）との距離を離すことができる。また、第２架台部（70B）及び第３架台部（70C）では、系統用電装品箱（81）と水熱交換器（35,36）との間に圧縮機（12）を配置しているため、系統用電装品箱（81）と水熱交換器（35,36）との間の距離を離すことができる。以上により、本実施形態では、水熱交換器（35,36）や水ポンプ（44）の漏水に起因して操作用電装品箱（82）や系統用電装品箱（81）の動作不良が生じることを防止しつつ、これらの機器を支持架台（70）の内部に配置できる。
【０１０４】
第２架台部（70B）、第３架台部（70C）、及び第４架台部（70D）では、第１架台側板（77）を開放することで、側面メンテナンス口（87）を通じて圧縮機（12）や系統用電装品箱（81）を外部へ露出させることができる。従って、圧縮機（12）や系統用電装品箱（81）のメンテナンスを容易に行うことができる。また、側面メンテナンス口（87）の外側には、メンテナンススペース（85）が確保されているため、圧縮機（12）や系統用電装品箱（81）へのアクセスも容易である。加えて、引出底板（83）を側面メンテナンス口（87）を通じてメンテナンススペース（85）へ引き出すことで、圧縮機（12）や他の機器のメンテナンスをより簡便に行うことができる。
【０１０５】
また、第１架台部（70A）では、前面パネル（75）を開放することで操作用電装品箱（82）に容易にアクセスできる。このことは、図９に示すように、複数の冷凍装置（1）を並べて配置した場合にも同様である。
【０１０６】
《その他の実施形態》
支持架台（70）を２つの架台部（70A,70D）だけで構成してもよい。この場合、一方の架台部（70A）（第１端側架台部）に操作用電装品箱（82）を設置し、他方の架台部（70D）（第２端側架台部）に水ポンプ（44）を配置するとよい。この場合にも、操作用電装品箱（82）と水ポンプ（44）との距離を離すことができる。
【産業上の利用可能性】
【０１０７】
以上のように、本発明は、冷凍装置について有用である。
【符号の説明】
【０１０８】
1      冷凍装置
10     冷媒回路
13     第１膨張弁
14     第２膨張弁
17     ファン
48     熱交換部
50     第１空気熱交換器
51     第１側面部
52     第２側面部
53     第３側面部
54     開放面
55     流通空間（空間）
60     第２空気熱交換器
61     斜面部
70     支持架台
77     第１架台側面（側面）
79     脚部
S1     第１機械室
S2     第２機械室
S3     第３機械室
S4     第４機械室
【図１】
2018054249.tif 000003
【図２】
2018054249.tif 000004
【図３】
2018054249.tif 000005
【図４】
2018054249.tif 000006
【図５】
2018054249.tif 000007
【図６】
2018054249.tif 000008
【図７】
2018054249.tif 000009
【図８】
2018054249.tif 000010
【図９】
2018054249.tif 000011
【手続補正書】
【提出日】平成30年1月10日(2018.1.10)
【手続補正１】
【補正対象書類名】明細書
【補正対象項目名】全文
【補正方法】変更
【補正の内容】
【発明の詳細な説明】
【技術分野】
【０００１】
本発明は、冷凍装置に関する。
【背景技術】
【０００２】
従来より、空気調和装置等の冷凍装置が知られている。
【０００３】
例えば特許文献１に開示の冷凍装置は、圧縮機、空気熱交換器等が接続される複数の冷媒回路と、これらの機器が設置される横長の支持架台とを備えている。複数の空気熱交換器は、支持架台の長手方向に一列に配置される。一方、複数の圧縮機は、例えば支持架台の前側寄りに集約して配置される（例えば同文献の図９を参照）。
【先行技術文献】
【特許文献】
【０００４】
【特許文献１】特開２０１３−０７９７３５号公報
【発明の概要】
【発明が解決しようとする課題】
【０００５】
特許文献１に記載のように、複数の圧縮機や他の機器を支持架台の片側寄りに集約して配置させると、各圧縮機と、これらの圧縮機に対応する他の機器（例えば空気熱交換器）との相対位置は、このようなユニット毎に異なることになる。つまり、冷凍装置では、各圧縮機と他の機器とを接続する冷媒配管等のレイアウトが、ユニット毎に異なることになる。従って、冷媒配管や、この冷媒配管に付随する取り付け構造等が複雑となり、ひいては冷凍装置のコストの増大に繋がる。
【０００６】
本発明は、このような課題に着目してなされたものであり、冷媒配管や、その周辺構造の簡素化を図ることができる冷凍装置を提案することである。
【課題を解決するための手段】
【０００７】
第１の発明は、圧縮機（12）と空気熱交換器（50,60）とレシーバ（15）とが接続される複数の冷媒回路（10）と、複数の上記圧縮機（12）に対応する電装品（81a）をそれぞれ有する複数の系統用電装品箱（81）と、一列に並んだ複数の架台部（70A,70B,70C,70D）を有する支持架台（70）とを備え、上記各架台部（70A,70B,70C,70D）には、互いに対応する上記圧縮機（12）、空気熱交換器（50,60）、レシーバ（15）、及び系統用電装品箱（81）が１つのユニットとして設置され、冷媒と水とを熱交換させる水熱交換器（35,36）と、水を搬送する水ポンプ（44）とが接続される水回路（40）と、操作部（82a）を含む操作用電装品箱（82）とを備え、上記複数の架台部（70A,70B,70C,70D）は、第１端側架台部（70A）と、第２端側架台部（70D）とを有し、上記操作用電装品箱（82）は、上記第１端側架台部（70A）及び上記第２端側架台部（70D）のうちの該第１端側架台部（70A）のみに設置され、上記水ポンプ（44）は、上記第１端側架台部（70A）及び上記第２端側架台部（70D）のうち該第２端側架台部（70D）のみに設置されることを特徴とする。
【０００８】
第１の発明では、複数の架台部（70A,70B,70C,70D）が一列に配列されることで支持架台（70）が構成される。そして、共通する冷媒回路（10）に接続される圧縮機（12）、空気熱交換器（50,60）、及びレシーバ（15）と、この圧縮機（12）に対応する系統用電装品箱（81）とが１つのユニットとして各架台部（70A,70B,70C,70D）に設置される。
【０００９】
このようにすると、対応する圧縮機（12）、空気熱交換器（50,60）、及びレシーバ（15）の相対位置を、複数の架台部（70A,70B,70C,70D）間において類似させる、あるいは同じとすることができる。これにより、各架台部（70A,70B,70C,70D）では、冷媒配管を同じように配設することができる。この結果、各架台部（70A,70B,70C,70D）では、冷媒配管や、その周囲の取り付け構造等を共通化でき、冷凍装置の簡素化が図られる。
【００１０】
また、本発明では、圧縮機（12）と、この圧縮機（12）に対応する系統用電装品箱（81）の相対位置を複数の架台部（70A,70B,70C,70D）において類似させる、あるいは同じとすることができる。この結果、各架台部（70A,70B,70C,70D）では、圧縮機（12）と系統用電装品箱（81）の間の電気配線や、その周囲の取り付け構造等を共通化でき、冷凍装置の簡素化が図られる。
【００１１】
第１の発明では、第１端側架台部（70A）に操作用電装品箱（82）が設置され、第２端側架台部（70D）に水ポンプ（44）が設置されるため、操作用電装品箱（82）と水ポンプ（44）との距離を離すことができる。このため、水ポンプ（44）の周囲に水が漏洩したとしても、この水が操作用電装品箱（82）へ到達するのを防止できる。
【００１２】
第２の発明は、第１の発明において、上記複数の架台部（70A,70B,70C,70D）は、該第１端側架台部（70A）と第２端側架台部（70D）との間の少なくとも１つの中間架台部（70B,70C）とを含んでいることを特徴とする。
【００１３】
第２の発明では、第１端側架台部（70A）、中間架台部（70B,70C）、及び第２端側架台部（70D）が一列に並んで支持架台（70）が構成される。第１端側架台部（70A）に設置される操作用電装品箱（82）と、第２端側架台部（70D）に設置される水ポンプ（44）との間には、中間架台部（70B,70C）が配置されるため、操作用電装品箱（82）と水ポンプ（44）との距離を離すことができる。このため、水ポンプ（44）の周囲に水が漏洩したとしても、この水が操作用電装品箱（82）へ到達するのを確実に防止できる。
【００１４】
また、操作用電装品箱（82）と水ポンプ（44）とは、複数の架台部（70A,70B,70C,70D）のうち最も端側の架台部（70A,70D）に設置される。このため、操作用電装品箱（82）や水ポンプ（44）へのアクセスが容易となり、これらのメンテナンスを容易に行うことができる。
【００１５】
第３の発明は、第１又は第２の発明において、上記第２端側架台部（70D）では、上記第１端側架台部（70A）から上記第２端側架台部（70D）に向かって順に、上記系統用電装品箱（81）、上記圧縮機（12）、及び上記水ポンプ（44）が配置されることを特徴とする。
【００１６】
第３の発明では、第２端側架台部（70D）において、系統用電装品箱（81）と水ポンプ（44）との間に圧縮機（12）が配置される。このため、系統用電装品箱（81）と水ポンプ（44）との距離を離すことができる。この結果、水ポンプ（44）の周囲に水が漏洩したとしても、この水が系統用電装品箱（81）へ到達するのを防止できる。
【００１７】
第４の発明は、第２の発明において、上記中間架台部（70B,70C）の少なくとも１つでは、上記第１端側架台部（70A）から上記第２端側架台部（70D）に向かって順に、上記系統用電装品箱（81）、上記圧縮機（12）、上記水熱交換器（35,36）が配置されることを特徴とする。
【００１８】
第４の発明では、中間架台部（70B,70C）において、系統用電装品箱（81）と水熱交換器（35,36）との間に圧縮機（12）が配置される。このため、系統用電装品箱（81）と水熱交換器（35,36）との距離を離すことができる。この結果、水熱交換器（35,36）の周囲に水が漏洩したとしても、この水が系統用電装品箱（81）へ到達するのを防止できる。
【００１９】
第５の発明は、第１乃至４のいずれか１つの発明において、上記支持架台（70）には、上記架台部（70A,70B,70C,70D）の配列方向に沿った少なくとも一方の側面にメンテナンス口（86）が形成され、上記複数の架台部（70A,70B,70C,70D）の少なくとも１つでは、上記圧縮機（12）が上記レシーバ（15）よりもメンテナンス口（86）寄りに配置されることを特徴とする。
【００２０】
第５の発明では、圧縮機（12）がレシーバ（15）よりもメンテナンス口（86）寄りに配置されるため、支持架台（70）の幅方向の側面から、メンテナンス口（86）を通じて圧縮機（12）のメンテナンスを簡便に行うことができる。レシーバ（15）は、圧縮機（12）と比べてメンテナンス頻度が低いため、レシーバ（15）を圧縮機（12）の裏側に配置したとしても大きな支障はない。
【００２１】
第６の発明は、第５の発明において、上記複数の架台部（70A,70B,70C,70D）の少なくとも１つでは、上記系統用電装品箱（81）が上記レシーバ（15）よりもメンテナンス口（86）寄りに配置されることを特徴とする。
【００２２】
第６の発明では、系統用電装品箱（81）がレシーバ（15）よりもメンテナンス口（86）寄りに配置されるため、支持架台（70）の幅方向の側面から、メンテナンス口（86）を通じて系統用電装品箱（81）のメンテナンスを簡便に行うことができる。レシーバ（15）は、系統用電装品箱（81）と比べてメンテナンス頻度が低いため、系統用電装品箱（81）の裏側にレシーバ（15）を配置したとしても大きな支障はない。
【００２３】
第７の発明は、第５又は第６の発明において、上記複数の架台部（70A,70B,70C,70D）の底部には、上記圧縮機（12）が設置されるとともに上記メンテナンス口（86）に向かって引出可能な引出底板（83）が設けられることを特徴とする。
【００２４】
第７の発明では、引出底板（83）をメンテナンス口（86）に向かって引っ張ることで、圧縮機（12）をメンテナンス口（86）の外部へ一体的に引き出すことができる。
【００２５】
第８の発明は、第１乃至第７のいずれか１つの発明において、上記各架台部（70A,70B,70C,70D）に設置される上記１つのユニットは、上記各冷媒回路（10）に接続され、対応する上記系統用電装品箱（81）の電装品（81a）を冷媒によって冷却する冷媒冷却ユニット（25）を含んでいることを特徴とする。
【００２６】
第８の発明によれば、各架台部（70A,70B,70C,70D）にそれぞれ冷媒冷却ユニット（25）が設置される。各冷媒冷却ユニット（25）は、冷媒回路（10）を流れる冷媒によって、対応する系統用電装品箱（81）の電装品（81a）をそれぞれ冷却する。冷媒冷却ユニット（25）は、対応する圧縮機（12）や系統用電装品箱（81）ともに同じ架台部（70A,70B,70C,70D）に設置される。このため、各架台部（70A,70B,70C,70D）では、冷媒冷却ユニット（25）と圧縮機（12）と系統用電装品箱（81）との距離が比較的短くなるとともに、これらのレイアウトも各架台部（70A,70B,70C,70D）で共通化できる。この結果、冷媒冷却ユニット（25）の周囲の冷媒配管を短できるとともに、各架台部（70A,70B,70C,70D）における冷媒配管やその周辺構造の共通化を図ることができる。
【発明の効果】
【００２７】
第１の発明によれば、互いに対応する圧縮機（12）、空気熱交換器（50,60）、レシーバ（15）、及び系統用電装品箱（81）を一体的なユニットとして各架台部（70A,70B,70C,70D）に設置したため、複数の架台部（70A,70B,70C,70D）間において、冷媒配管、電気配線、その周囲の取り付け構造等を共通化できる。この結果、冷凍装置の組立性の向上や低コスト化を図ることができる。
【００２８】
また、このように圧縮機（12）、空気熱交換器（50,60）、レシーバ（15）、及び系統用電装品箱（81）を１つのユニットとして構成することで、冷凍装置に新たなユニットを増設したり、不要になったユニットを省いたりできる。
【００２９】
また、複数の架台部（70A,70B,70C,70D）を一列に配置したとしても、例えば圧縮機（12）、レシーバ（15）、空気熱交換器（50,60）を繋ぐ冷媒配管はさほど長くならない。従って、冷媒配管のレイアウトをシンプルに構成できる。
【００３０】
第１の発明によれば、冷凍装置の運転に最も重要な操作用電装品箱（82）と、水ポンプ（44）との間の距離を離すことができ、水ポンプ（44）の漏水に起因する操作用電装品箱（82）の動作不良を回避できる。
【００３１】
特に第２の発明によれば、操作用電装品箱（82）と、水ポンプ（44）との間の距離を十分に離すことができ、水ポンプ（44）の漏水に起因する操作用電装品箱（82）の動作不良を確実に回避できる。また、操作用電装品箱（82）や水ポンプ（44）のメンテナンスも容易となる。
【００３２】
第３の発明によれば、更に水ポンプ（44）と系統用電装品箱（81）との間の距離も十分に離すことができ、水ポンプ（44）の漏水に起因する系統用電装品箱（81）の動作不良も回避できる。更に、第４の発明によれば、系統用電装品箱（81）と水熱交換器（35,36）との間の距離も十分に離すことができ、水ポンプ（44）の漏水に起因する系統用電装品箱（81）の動作不良も回避できる。
【００３３】
第５の発明によれば、メンテナンス口（86）を通じて圧縮機（12）のメンテナンスを容易に行うことができる。第６の発明によれば、メンテナンス口（86）を通じて系統用電装品箱（81）のメンテナンスを容易に行うことができる。第７の発明によれば、メンテナンス用スペースが比較的狭いような状況であっても、引出底板（83）を外部へ引き出すことで、圧縮機（12）のメンテナンスを容易に行うことができる。
【００３４】
第８の発明によれば、系統用電装品箱（81）の電装品（81a）を冷却する冷媒冷却ユニット（25）の周辺の冷媒配管や取り付け構造の簡素化を図ることができる。
【図面の簡単な説明】
【００３５】
【図１】図１は、チラー装置の前側及び右側を表した全体斜視図である。
【図２】図２は、チラー装置の前側及び左側を表した全体斜視図である。
【図３】図３は、チラー装置の配管系統図である。
【図４】図４は、チラー装置の正面図である。
【図５】図５は、図４のV-V線断面図である。
【図６】図６は、第１空気熱交換器の側方の一部を拡大した概略構成図である。
【図７】図７は、第２空気熱交換器の側方の一部を拡大した概略構成図である。
【図８】図８は、機械室の内部の主要機器の配置を表した平面図である。
【図９】図９は、複数のチラー装置を左右に配置した正面図である。
【発明を実施するための形態】
【００３６】
以下、本発明の実施形態について図面を参照しながら説明する。なお、以下の実施形態は、本質的に好ましい例示であって、本発明、その適用物、あるいはその用途の範囲を制限することを意図するものではない。
【００３７】
《発明の実施形態》
本発明の冷凍装置は、冷媒によって水を冷却及び加熱する冷温水式のチラー装置（1）である。図１及び図２に示すように、チラー装置（1）は、例えば４つの熱源ユニット（5A,5B,5C,5D）が一列に配列されて構成される。
【００３８】
−チラー装置の配管系統−
チラー装置（1）の配管系統について図３を参照しながら説明する。チラー装置（1）は、４つの冷媒回路（10）と、１つの水回路（40）と、各冷媒回路（10）と水回路（40）とに接続する２つの水熱交換器（35,36）とを有する。各冷媒回路（10）では、冷媒が循環することで蒸気圧縮式の冷凍サイクルが行われる。水回路（40）には、所定の水供給源より流入水が供給される。水回路（40）で加熱又は冷却された後の流出水は、所定の温度調節の対象へ供給される。なお、冷媒回路（10）、水熱交換器（35,36）、及び水回路（40）の数量は単なる例示であり、他の数量であってもよい。
【００３９】
〈冷媒回路〉
各冷媒回路（10）は、熱源回路（11）及び利用回路（30）が接続されて構成される。４つの熱源回路（11）は、上述した４つの熱源ユニット（5A,5B,5C,5D）に一つずつ対応している。熱源回路（11）及び利用回路（30）の構成は基本的に同じであるため、図３では、第１熱源ユニット（5A）の熱源回路（11）の詳細構造を図示し、他の熱源ユニット（5B,5C,5D）の熱源回路（11）の詳細構造の図示は省略している。
【００４０】
〔熱源回路〕
熱源回路（11）は、対応する熱源ユニット（5A,5B,5C,5D）にそれぞれ設けられる。熱源回路（11）には、圧縮機（12）、第１空気熱交換器（50）、第２空気熱交換器（60）、第１膨張弁（13）、第２膨張弁（14）、レシーバ（15）、及び四方切換弁（16）が接続される。
【００４１】
圧縮機（12）は、冷媒を吸入して圧縮した後、圧縮された冷媒を吐出する。第１空気熱交換器（50）及び第２空気熱交換器（60）は、フィンアンドチューブ式の熱交換器である。各空気熱交換器（50,60）では、ファン（17）が搬送する空気と冷媒とが熱交換する。第１膨張弁（13）及び第２膨張弁（14）は、それぞれ開度が可変な電動弁で構成される。互いに隣接する第１空気熱交換器（50）及び第２空気熱交換器（60）は、冷媒と空気とを熱交換させる熱交換部（48）を構成する。
【００４２】
第１空気熱交換器（61）及び第１膨張弁（13）は、第１並列回路（18）に接続され、第２空気熱交換器（60）及び第２膨張弁（14）は、第２並列回路（19）に接続される。第１並列回路（18）及び第２並列回路（19）は、互いに並列な関係となる冷媒並列回路を構成している。
【００４３】
レシーバ（15）は、縦長の中空密閉状の容器であり、冷媒調整器を構成している。レシーバ（15）の内部には、余剰の冷媒が貯留される。
【００４４】
四方切換弁（16）は、第１から第４までのポートを有している。四方切換弁（16）では、第１ポートが圧縮機（12）の吐出部と接続し、第２ポートが圧縮機（12）の吸入部と接続し、第３ポートが各空気熱交換器（50,60）のガス端部と接続し、第４ポートが利用回路（30）のガスライン（31）と接続する。四方切換弁（16）は、第１ポートと第３ポートとが連通し且つ第２ポートと第４ポートとが連通する状態（図３の実線で示す第１状態）と、第１ポートと第４ポートとが連通し且つ第２ポートと第３ポートとが連通する状態（図３の破線で示す第２状態）とに切り換わる。
【００４５】
熱源回路（11）には、過冷却ユニット（20）と、冷媒冷却ユニット（25）とが接続される。
【００４６】
過冷却ユニット（20）は、過冷却熱交換器（21）と、インジェクション回路（22）と、第１電動弁（23）と有する。過冷却熱交換器（21）は、レシーバ（15）と連通する第１流路（21a）と、インジェクション回路（22）に接続する第２流路（21b）とを有する。インジェクション回路（22）は、流入端がレシーバ（15）と過冷却ユニット（20）の間に接続され、流出端が圧縮機（12）の吸入部に連通する。第１電動弁（23）は、インジェクション回路（22）のうち第２流路（21b）の上流側に接続される。第１電動弁（23）は、開度が可変な電子膨張弁で構成される。過冷却熱交換器（21）では、第１流路（21a）を流れる液冷媒と、第２流路（21b）を流れる冷媒とが熱交換する。これにより、過冷却熱交換器（21）では、第１流路（21a）を流れる液冷媒が冷却される。
【００４７】
冷媒冷却ユニット（25）は、冷却回路（26）と伝熱部材（27）とを有する。冷却回路（26）の一端は２手に分岐している。冷却回路（26）の２つ分岐部の一方は、第１並列回路（18）における第１空気熱交換器（50）と第１膨張弁（13）の間に接続される。冷却回路（26）の２つの分岐部の他方は、第２並列回路（19）における第２空気熱交換器（60）と第２膨張弁（14）の間に接続される。冷却回路（26）の他端は、レシーバ（15）と２つの膨張弁（13,14）の間に接続される。冷却回路（26）には、例えば電子膨張弁である第２電動弁（28）が接続される。
【００４８】
伝熱部材（27）は、例えば平板状のアルミニウム等の熱伝導率の高い材料で構成されている。伝熱部材（27）の一方の面には、冷却回路（26）を構成する伝熱管が熱的に接触している。伝熱部材（27）の他方の面には、電装品（81a）（例えばスイッチング素子を有するインバータ基板等）が熱的に接触している。これにより、冷媒冷却ユニット（25）の冷媒は、電装品（81a）の冷却に利用される。
【００４９】
熱源回路（11）には、各種のセンサが設けられる。具体的には、第１空気熱交換器（50）のガス端部には、第１冷媒温度センサ（29a）が接続される。第２空気熱交換器（60）のガス端部には、第２冷媒温度センサ（29b）が接続される。圧縮機（12）の吸入部には、吸入圧力センサ（29c）が接続される。第１冷媒温度センサ（29a）は、蒸発器となる第１空気熱交換器（50）を流出した冷媒の温度を検出する。第２冷媒温度センサ（29b）は、蒸発器となる第２空気熱交換器（60）を流出した冷媒の温度を検出する。吸入圧力センサ（29c）は、圧縮機（12）に吸入される吸入冷媒（低圧冷媒）の圧力を検出する。
【００５０】
〔利用回路〕
利用回路（30）は、各熱源ユニット（5A,5B,5C,5D）と水熱交換器（35,36）との間に接続される。具体的には、第１熱源ユニット（5A）に対応する利用回路（30）は、第１水熱交換器（35）の第１冷媒側流路（35a）に接続する。第２熱源ユニット（5B）に対応する利用回路（30）は、第１水熱交換器（35）の第２冷媒側流路（35b）に接続する。第３熱源ユニット（5C）に対応する利用回路（30）は、第２水熱交換器（36）の第３冷媒側流路（36a）に接続する。第４熱源ユニット（5D）に対応する利用回路（30）は、第２水熱交換器（36）の第４冷媒側流路（36b）に接続する。
【００５１】
各利用回路（30）は、ガスライン（31）と液ライン（32）とをそれぞれ有している。ガスライン（31）は、水熱交換器（35,36）のガス端部と四方切換弁（16）の第４ポートとの間に接続する。液ライン（32）は、水熱交換器（35,36）の液端部と過冷却熱交換器（21）との間に接続する。液ライン（32）には、例えば電子膨張弁である第３膨張弁（33）が接続される。
【００５２】
〈水回路〉
水回路（40）は、上流側から下流側に向かって順に、流入管（41）、中継管（42）、及び流出管（43）を有している。流入管（41）は、第１水熱交換器（35）の第１水流路（35c）の流入端に接続する。中継管（42）は、第１水熱交換器（35）の第１水流路（35c）と第２水熱交換器（36）の第２水流路（36c）との間に接続する。流出管（43）は、第２水熱交換器（36）の第２水流路（36c）の流出端に接続する。流入管（41）には、水回路（40）の水を搬送する水ポンプ（44）が接続される。
【００５３】
〈制御部〉
チラー装置（1）は、冷媒回路（10）の各機器を制御する制御部（81b）を有している。制御部（81b）は、例えばマイクロコンピュータ及びメモリを有し、第１膨張弁（13）及び第２膨張弁（14）の開度を制御する。具体的に、制御部（81b）は、後述する加熱動作において、第１空気熱交換器（50）を流出する冷媒の過熱度を示す指標が目標値に近づくように、第１膨張弁（13）の開度を制御する。また、制御部（81b）は、加熱動作において、第２空気熱交換器（60）を流出する冷媒の過熱度を示す指標が目標値に近づくように、第２膨張弁（14）の開度を制御する。
【００５４】
−チラー装置の運転動作−
チラー装置（1）の基本的な運転動作について、図３を参照しながら説明する。チラー装置（1）では、水を冷却する冷却運転と、水を加熱する加熱運転とが切り換えて行われる。
【００５５】
〈冷却運転〉
冷却運転では、四方切換弁（16）が第１状態となり、各空気熱交換器（50,60）が放熱器ないし凝縮器となり且つ水熱交換器（35,36）が蒸発器となる冷凍サイクルが行われる。具体的には、圧縮機（12）で圧縮された冷媒は、第１空気熱交換器（50）と第２空気熱交換器（60）とに分流する。各空気熱交換器（50,60）では、冷媒が室外空気に放熱して凝縮する。第１空気熱交換器（50）で放熱した冷媒は、全開状態の第１膨張弁（13）を通過する。第２空気熱交換器（60）で放熱した冷媒は、全開状態の第２膨張弁（14）を通過する。レシーバ（15）で合流した冷媒は、過冷却熱交換器（21）を通過し、第３膨張弁（33）で減圧された後、水熱交換器（35,36）を流れる。水熱交換器（35,36）では、冷媒が水回路（40）の水から吸熱して蒸発し、この水が冷却される。水熱交換器（35,36）で蒸発した冷媒は、圧縮機（12）に吸入されて圧縮される。
【００５６】
〈加熱運転〉
加熱運転では、四方切換弁（16）が第２状態となり、水熱交換器（35,36）が放熱器ないし凝縮器となり且つ各空気熱交換器（50,60）が蒸発器となる冷凍サイクルが行われる。具体的には、圧縮機（12）で圧縮された冷媒は、水熱交換器（35,36）を流れる。水熱交換器（35,36）では、冷媒が水回路（40）の水へ放熱して凝縮し、この水が加熱される。水熱交換器（35,36）で凝縮した冷媒は、全開状態の第３膨張弁（33）、過冷却熱交換器（21）、及びレシーバ（15）を順に通過し、第１膨張弁（13）と第２膨張弁（14）とに分流する。第１膨張弁（13）で減圧された冷媒は、第１空気熱交換器（50）で蒸発する。第２膨張弁（14）で減圧された冷媒は、第２空気熱交換器（60）で蒸発する。各空気熱交換器（50,60）で蒸発した冷媒は、合流した後、圧縮機（12）に吸入されて圧縮される。
【００５７】
加熱運転では、制御部（81b）によって第１膨張弁（13）及び第２膨張弁（14）の開度が個別に調節される。具体的には、第１膨張弁（13）の開度は、第１空気熱交換器（50）を流出する冷媒の過熱度が所定値になるように調節される。第２膨張弁（14）の開度は、第２空気熱交換器（60）を流出する冷媒の過熱度が所定値になるように調節される。ここで、第１空気熱交換器（50）を流出する冷媒の過熱度は、例えば第１冷媒温度センサ（29a）で検出した冷媒の温度と、吸入圧力センサ（29c）で検出した冷媒の圧力に相当する飽和温度との差から求められる。同様に、第２空気熱交換器（60）を流出する冷媒の過熱度は、例えば第２冷媒温度センサ（29b）で検出した冷媒の温度と、吸入圧力センサ（29c）で検出した冷媒の圧力に相当する飽和温度との差から求められる。なお、このように過熱度を直接算出せずに、冷媒の温度や圧力を過熱度を示す指標としてそのまま用いることもできる。
【００５８】
このように、加熱動作において、第１空気熱交換器（50）及び第２空気熱交換器（60）を流出する冷媒の過熱度を個別に制御することで、各空気熱交換器（50,60）において冷媒を所定の過熱度まで確実に蒸発させることができる。即ち、各空気熱交換器（50,60）において冷媒が湿り状態のまま流出したり、冷媒が過剰な乾き状態となって流出したりすることを確実に回避できる。これにより、各空気熱交換器（50,60）の蒸発能力を十分に確保できる。また、圧縮機（12）に液冷媒が吸入されてしまうことを確実に回避できる。
【００５９】
−チラー装置の構造−
次いで、チラー装置（1）の詳細な構造について、図１〜図８を参照しながら説明する。なお、以下の説明において「前」、「後」、「右」、「左」、「上」、及び「下」の方向を表す記載は、原則として図１に記載された方向を基準とする。
【００６０】
〈全体の概略構成〉
チラー装置（1）は、４つの熱源ユニット（5A,5B,5C,5D）が前後方向に配列されている。４つの熱源ユニット（5A,5B,5C,5D）は、前側から後側に向かって順に、第１熱源ユニット（5A）、第２熱源ユニット（5B）、第３熱源ユニット（5C）、及び第４熱源ユニット（5D）で構成される。
【００６１】
各熱源ユニット（5A,5B,5C,5D）は、１つの上部ケーシング（46）と１つの架台部（70A,70B,70C,70D）とをそれぞれ有する。これらの架台部（70A,70B,70C,70D）は、第１熱源ユニット（5A）に対応する第１架台部（70A）と、第２熱源ユニット（5B）に対応する第２架台部（70B）と、第３熱源ユニット（5C）に対応する第３架台部（70C）と、第４熱源ユニット（5D）に対応する第４架台部（70D）とを有する。これらの架台部（70A,70B,70C,70D）が前後方向に連なることで一体的な支持架台（70）を構成している。第１架台部（70A）は、最も前側に配置される第１側端架台部を構成している。第４架台部（70D）は、最も後側に配置される第２側端架台部（70A,70B,70C,70D）を構成している。第２架台部（70B）及び第３架台部（70C）は、第１架台部（70A）と第４架台部（70D）との間に配置される中間架台部をそれぞれ構成している。これらの架台部（70A,70B,70C,70D）の数量は単なる一例であるが、架台部は２つ以上、更に３つ以上であるのが好ましく、５つ以上であってもよい。
【００６２】
各上部ケーシング（46）と各架台部（70A,70B,70C,70D）との間には、熱交換部（48）を構成する第１空気熱交換器（50）及び第２空気熱交換器（60）と、第２空気熱交換器（60）を覆う中間枠部（65A,65B,65C,65D）とがそれぞれ設けられる。
【００６３】
〈上部ケーシング〉
上部ケーシング（46）は、熱源ユニット（5A,5B,5C,5D）の上端部に設けられる。各上部ケーシング（46）は、扁平な中空の矩形箱状に形成される。上部ケーシング（46）の内部には、それぞれファン（17）が収容される（図４を参照）。上部ケーシング（46）の上側には、円形の吹出口（46a）が形成される（図１及び図２を参照）。ファン（17）が作動すると、２つの空気熱交換器（50,60）の外側の空気が、該２つの空気熱交換器（50,60）の内部へ流入する。この空気は２つの空気熱交換器（50,60）の内部を上方へ流れ、吹出口（46a）より上方へ吹き出される。
【００６４】
〈第１空気熱交換器〉
第１空気熱交換器（50）は、各熱源ユニット（5A,5B,5C,5D）ないし各架台部（70A,70B,70C,70D）に１つずつ対応して設けられる。各第１空気熱交換器（50）は、空気が通過する第１〜第３側面部（51,52,53）をそれぞれ有する。第１〜第３側面部（51,52,53）は、空気が通過する通風部を構成する。
【００６５】
第１側面部（51）及び第２側面部（52）は、互いに対向する一対の側面部である。第１側面部（51）は、第１空気熱交換器（50）の前側面を構成し、第２側面部（52）は、第１空気熱交換器（50）の後側面を構成する。第３側面部（53）は、第１側面部（51）と第２側面部（52）との間に連続して形成される中央の側面部であり、第１空気熱交換器（50）の左側面を構成する。４つの第１空気熱交換器（50）は、第３側面部（53）が水平方向（前後方向）に連なるように互いに隣接して配置される。
【００６６】
図５に示すように、第１空気熱交換器（50）は、平面視において各側面部（51,52,53）が略Ｕ字形状に配列されるように構成される。第１空気熱交換器（50）のうち各側面部（51,52,53）がない側面に開放面（54）が形成される。第１空気熱交換器（50）は、各側面部（51,52,53）が垂直となる縦置き式である。第１空気熱交換器（50）の各側面部（51,52,53）の周囲には、部材等が設けられていない。このため、ファン（17）が作動すると、第１空気熱交換器（50）の周囲の空気が各側面部（51,52,53）をそれぞれ通過し、第１空気熱交換器（50）の内部へ流入する。
【００６７】
第１空気熱交換器（50）では、第１側面部（51）及び第２側面部（52）が平面視において略ハの字状に配列される。即ち、第１側面部（51）及び第２側面部（52）は、各々の側端部に向かうにつれて互いの間隔が拡がるような先広がりの配置となっている。換言すると、第１側面部（51）及び第２側面部（52）は、第３側面部（53）と鈍角をなすように外方（前後方向）に傾いている。即ち、図５に示すように、第１空気熱交換器（50）では、第１側面部（51）に沿った仮想平面Ｐ１と、第３側面部（53）に沿った仮想平面Ｐ３とがなす角度θ１は９０度より大きい。また、第１空気熱交換器（50）では、第２側面部（52）に沿った仮想平面Ｐ２と、第３側面部（53）に沿った仮想平面Ｐ３とがなす角度θ２が９０度より大きい。
【００６８】
図５に示すように、前後に隣り合う一対の第１空気熱交換器（50）の間には、それぞれ空気が流通可能な流通空間（55）が形成される。流通空間（55）は、平面視において第３側面部（53）に近づくにつれて幅広となっている。このように流通空間（55）の開口側を幅広に形成することで、空気が流通空間（55）の内部へ流入しやすくなる。
【００６９】
〈第２空気熱交換器〉
図４及び図５に示すように、第２空気熱交換器（60）は、第１空気熱交換器（50）の右側の開放面（54）に対向するように配置される。第２空気熱交換器（60）は、全体の外形として略平板状に形成される。第２空気熱交換器（60）の全域には、略平面に形成され左右方向に傾斜した斜面部（61）が形成される。第２空気熱交換器（60）ないし斜面部（61）は、これらの上端に向かうにつれて第１空気熱交換器（50）の開放面（54）から離れるように傾斜している。
【００７０】
第２空気熱交換器（60）の上端の高さ位置は、第１空気熱交換器（50）の上端の高さ位置と概ね等しい。また、第２空気熱交換器（60）の下端の高さ位置は、第１空気熱交換器（50）の下端の高さ位置と概ね等しい。第２空気熱交換器（60）は、第１空気熱交換器（50）の開放面（54）の全域を覆うように配置される。
【００７１】
〈第１空気熱交換器（50）と第２空気熱交換器（60）の冷媒流路（C）の列数〉
図６に示すように、第１空気熱交換器（50）では、空気の通過方向（第１フィン（56）の幅方向）における冷媒流路（C）の列数（パス数）が３列である。これに対し、図７に示すように、第２空気熱交換器（60）では、空気の通過方向（第２フィン（62）の幅方向）における冷媒流路（C）の列数（パス数）が４列である。即ち、第２空気熱交換器（60）の冷媒流路（C）の列数は、第１空気熱交換器（50）の冷媒流路（C）の列数よりも多い。また、本実施形態では、第１空気熱交換器（50）の第１フィン（56）の幅と、第２空気熱交換器（60）の第２フィン（62）の幅とが概ね等しい。
【００７２】
図４に示すように、第２空気熱交換器（60）は、その流出面がファン（17）側を向くように斜めに配置される。このため、実施形態に係る第２空気熱交換器（60）の流出面は、第２空気熱交換器（60）を縦置きとした場合と比較して、ファン（17）から近くなり、空気が円滑に流れやすくなる。つまり、第２空気熱交換器（60）を斜め配置とすることで、第２空気熱交換器（60）からファン（17）までの間の流路抵抗を低減できる。従って、第２空気熱交換器（60）の冷媒流路（C）の列数を、第１空気熱交換器（50）の冷媒流路（C）の列数よりも多くすることで、第２空気熱交換器（60）の通風量を十分に確保しつつ、第２空気熱交換器（60）の全体の伝熱面積を拡大できる。
【００７３】
なお、第２空気熱交換器（60）の冷媒流路（C）の列数と、第１空気熱交換器（50）の冷媒流路（C）の列数とを同じ（例えば３列）としてもよい。
【００７４】
〈中間枠部〉
図５等に示すように、４つの中間枠部（65A,65B,65C,65D）は、第１熱源ユニット（5A）に対応する第１中間枠部（65A）、第２熱源ユニット（5B）に対応する第２中間枠部（65B）、第３熱源ユニット（5C）に対応する第３中間枠部（65C）、及び第４熱源ユニット（5D）に対応する第４中間枠部（65D）とで構成される。中間枠部（65A,65B,65C,65D）は、第２空気熱交換器（60）を覆うように配置される。４つの中間枠部（65A,65B,65C,65D）は、第２空気熱交換器（60）に沿って傾斜した枠板（66）をそれぞれ有している。枠板（66）には、第２空気熱交換器（60）を外側から覆う枠状に形成され、その内部に空気の通風開口（66a）が形成される（図１を参照）。即ち、第２空気熱交換器（60）の斜面部（61）は、枠板（66）の通風開口（66a）を通じて外部へ露出している。
【００７５】
図１、図５等に示すように、第１中間枠部（65A）の前側には、第１遮蔽板（67）が形成される。第１遮蔽板（67）は、第１中間枠部（65A）の枠板（66）の前端から第１空気熱交換器（50）の第１側面部（51）の側端部の近傍に亘って形成される。これにより、第１遮蔽板（67）は、第１空気熱交換器（50）の第１側面部（51）と第２空気熱交換器（60）との間を空気が通り抜けることを防止している。第１遮蔽板（67）は、下方に向かって左右の幅が狭くなるような、逆台形状ないし直角三角形状に形成される。
【００７６】
図５に示すように、第４中間枠部（65D）の後側には、第１遮蔽板（67）と略同一形状の第２遮蔽板（68）が形成される。第２遮蔽板（68）は、第４中間枠部（65D）の枠板（66）の後端から第１空気熱交換器（50）の第２側面部（52）の側端部の近傍に亘って形成される。これにより、第２遮蔽板（68）は、第１空気熱交換器（50）の第２側面部（52）と第２空気熱交換器（60）との間を空気が通り抜けることを防止している。第２遮蔽板（68）は、下方に向かって左右の幅が狭くなるような、逆台形状ないし直角三角形状に形成される。
【００７７】
隣り合う第２空気熱交換器（60）の間には、第１遮蔽板（67）や第２遮蔽板（68）と略同一形状の中間遮蔽板（69）がそれぞれ設けられる。つまり、中間遮蔽板（69）は、正面視において第１遮蔽板（67）及び第２遮蔽板（68）と略同一の投影面を形成する位置及び形状に構成される。複数の（本例では３つの）中間遮蔽板（69）の右端は、隣り合う枠板（66）の側端に固定される。各中間遮蔽板（69）の左端は、隣り合う第１空気熱交換器（50）の一対の側面部（51,52）の側端部の近傍まで延びている。中間遮蔽板（69）は、隣り合う熱源ユニット（5A,5B,5C,5D）の間において、一方の熱源ユニット（5A,5B,5C,5D）の内部の空気が他方の熱源ユニット（5A,5B,5C,5D）へ偏流してしまうのを防止している。
【００７８】
〈支持架台〉
支持架台（70）は、前後に横長の略直方体状に形成される。支持架台（70）は、第１〜第２横フレーム（71a,71b）と、第１〜第４縦フレーム（72a,72b,72c,72d）と、第１〜第６中間フレーム（73a,73b,73c,73d,73e,73f）とを有する。
【００７９】
第１横フレーム（71a）は、支持架台（70）の右端に配置され、第２横フレーム（71b）は、支持架台（70）の左端に配置される。第１横フレーム（71a）と第２横フレーム（71b）とは、互いに平行になるように前後方向に延びる棒状に形成される。
【００８０】
第１縦フレーム（72a）は、第１横フレーム（71a）の前端に固定され、第２縦フレーム（72b）は、第１横フレーム（71a）の後端に固定される。第３縦フレーム（72c）は、第２横フレーム（71b）の前端に固定され、第４縦フレーム（72d）は、第２横フレーム（71b）の後端に固定される。
【００８１】
第１〜第３中間フレーム（73a,73b,73c）は、第１横フレーム（71a）の中間部に固定され、前後方向に配列される。第４〜第６中間フレーム（73d,73e,73f）は、第２横フレーム（71b）の中間部に固定され、前後方向に配列される。第１〜第６中間フレーム（73f）は、各横フレーム（71a,71b）の中間部から上方に延びる縦長の棒状に形成され、互いに平行に配置される。
【００８２】
支持架台（70）の上端には、１つの基台部（74）が設けられる。基台部（74）は、第１〜第４縦フレーム（72d）及び第１〜第６中間フレーム（73f）に支持されている。基台部（74）は、前後に横長の板状ないし直方体状に形成され、各横フレーム（71a,71b）と平行に延びている。基台部（74）の上面には、２つの空気熱交換器（50,60）（熱交換部（48））及び中間枠部（65A,65B,65C,65D）が設置される。
【００８３】
支持架台（70）の前面には、前面パネル（75）が垂直な状態で設けられる。前面パネル（75）は第１縦フレーム（72a）及び第３縦フレーム（72c）に着脱可能に取り付けられる。支持架台（70）の後面には、後面パネル（76）が垂直な状態で設けられる。後面パネル（76）は、第２縦フレーム（72b）及び第４縦フレーム（72d）に着脱可能に取り付けられる。
【００８４】
支持架台（70）の右側には、第１架台側板（77）が形成される。第１架台側板（77）は、第１空気熱交換器（50）の開放面（54）の下側に位置している。第１架台側板（77）は、垂直な第１〜第４側面パネル（77a,77b,77c,77d）を含んでいる。第１側面パネル（77a）は、第１縦フレーム（72a）及び第１中間フレーム（73a）に着脱可能に取り付けられる。第２側面パネル（77b）は、第１中間フレーム（73a）及び第２中間フレーム（73b）に着脱可能に取り付けられる。第３側面パネル（77c）は、第２中間フレーム（73b）及び第３中間フレーム（73c）に着脱可能に取り付けられる。第４側面パネル（77d）は、第３中間フレーム（73c）及び第２縦フレーム（72b）に着脱可能に取り付けられる。
【００８５】
支持架台（70）の左側には、第２架台側板（78）が形成される。第２架台側板（78）は、第１空気熱交換器（50）の下側に位置している。第２架台側板（78）は、垂直な第５〜第８側面パネル（78a,78b,78c,78d）を含んでいる。第５側面パネル（78a）は、第３縦フレーム（72c）及び第４中間フレーム（73d）に着脱可能に取り付けられる。第６側面パネル（78b）は、第４中間フレーム（73d）及び第５中間フレーム（73e）に着脱可能に取り付けられる。第７側面パネル（78c）は、第５中間フレーム（73e）及び第６中間フレーム（73f）に着脱可能に取り付けられる。第８側面パネル（78d）は、第６中間フレーム（73f）及び第４縦フレーム（72d）に着脱可能に取り付けられる。
【００８６】
支持架台（70）の第１架台側板（77）と第２架台側板（78）との間には、第１〜第４機械室（S1,S2,S3,S4）が区画される。第１〜第４機械室（S1,S2,S3,S4）は、各々が直方体状の空間で構成され、前後方向に一列に配列される。具体的には、第１側面パネル（77a）と第５側面パネル（78a）の間に第１機械室（S1）が区画され、第２側面パネル（77b）と第６側面パネル（78b）の間に第２機械室（S2）が区画される。第３側面パネル（77c）と第７側面パネル（78c）の間に第３機械室（S3）が区画され、第４側面パネル（77d）と第８側面パネル（78d）の間に第４機械室（S4）が区画される。
【００８７】
支持架台（70）では、第１機械室（S1）を区画するための部品が第１架台部（70A）を構成し、第２機械室（S2）を区画するための部品が第２架台部（70B）を構成し、第３機械室（S3）を区画するための部品が第３架台部（70C）を構成し、第４機械室（S4）を区画するための部品が第４架台部（70D）を構成する。
【００８８】
なお、本実施形態では、例えば第１〜第２横フレーム（71a,71b）や基台部（74）が、各架台部（70A,70B,70C,70D）の機械室（S1,S2,S3,S4）を区画するための部品として共用されている。しかし、第１〜第２横フレーム（71a,71b）や基台部（74）を、各機械室（S1,S2,S3,S4）ないし各架台部（70A,70B,70C,70D）に対応する部分毎に分割してもよい。このようにすると、各架台部（70A,70B,70C,70D）を各熱源ユニット（5A,5B,5C,5D）とともに独立して移動させる（例えば持ち上げる）ことができる。
【００８９】
〈脚部〉
図１、図２、及び図４等に示すように、上述した支持架台（70）の下端には、２本の脚部（79）が設けられる。一方の脚部（79）は、前面パネル（75）の下端に固定され、他方の脚部（79）は後面パネル（76）の下端に固定される。各脚部（79）は、第１架台側板（77）の下端から右側に向かって水平に延びている。即ち、各脚部（79）の突出部分は、第２空気熱交換器（60）ないし中間枠部（65A,65B,65C,65D）の下側に位置している。脚部（79）の本数はこれに限らず、３本以上であってもよい。
【００９０】
図４に示すように、チラー装置（1）の全体の外形は、前面視において略逆Ｌ字状に形成される。つまり、チラー装置（1）では、第２空気熱交換器（60）やその周囲の部品が、第２架台側板（78）よりも外方（右側）へ張り出している。このため、チラー装置（1）は、右側へ転倒してしまうおそれがある。これに対し、脚部（79）は、支持架台（70）の下端から第２空気熱交換器（60）の張り出す方向へ延びているため、このような転倒を確実に回避できる。
【００９１】
〈機械室での主要機器のレイアウト〉
次いで機械室（S1,S2,S3,S4）の内部の主要機器のレイアウトについて図８を参照しながら説明する。なお、図８では、冷媒回路（10）を構成するための冷媒配管の図示を省略している。
【００９２】
〔レイアウトの概要〕
各機械室（S1,S2,S3,S4）には、圧縮機（12）、レシーバ（15）、系統用電装品箱（81）がそれぞれ１つずつ設置される。各系統用電装品箱（81）は、対応する圧縮機（12）へ電力を供給するインバータ基板等の電装品（81a）が設けられる。また、各機械室（S1,S2,S3,S4）には、各系統用電装品箱（81）の各電装品（81a）を冷却するための上述した冷媒冷却ユニット（25）がそれぞれ設けられる（図８において図示省略）。また、各系統用電装品箱（81）には、対応する冷媒回路（10）の第１膨張弁（13）及び第２膨張弁（14）を制御する制御部（81b）が設けられる。
【００９３】
第１機械室（S1）には、操作用電装品箱（82）が設置される。操作用電装品箱（82）には、冷凍装置の運転を操作するための操作部（82a）が設けられる。第２機械室（S2）には、第１水熱交換器（35）が設置される。第３機械室（S3）には、第２水熱交換器（36）が設置される。第４機械室（S4）には、水ポンプ（44）が設置される。
【００９４】
〔引出底板〕
各機械室（S1,S2,S3,S4）には、それぞれ１つずつ引出底板（83）が設置されている。引出底板（83）は、前後にやや横長の矩形状に形成され、対応する機械室（S1,S2,S3,S4）の底部を構成している。引出底板（83）は、支持架台（70）の右側に形成されるメンテナンススペース（85）に向かってスライド可能に支持架台（70）に取り付けられる。
【００９５】
〔第１機械室〕
第１機械室（S1）には、圧縮機（12）、レシーバ（15）、系統用電装品箱（81）、及び操作用電装品箱（82）が設置される。圧縮機（12）は、第１機械室（S1）の前後方向の中央部で且つ第１架台側板（77）寄り（メンテナンススペース（85）寄り）に配置される。第１機械室（S1）では、圧縮機（12）よりも前側（前面パネル（75）寄り）に操作用電装品箱（82）が配置される。第１機械室（S1）では、圧縮機（12）よりも後側（後面パネル（76）ないし第４機械室（S4）寄り）にレシーバ（15）が配置される。第１機械室（S1）では、レシーバ（15）の左側に系統用電装品箱（81）が配置される。
【００９６】
〔第２機械室〕
第２機械室（S2）には、圧縮機（12）、レシーバ（15）、系統用電装品箱（81）、及び第１水熱交換器（35）が設置される。第２機械室（S2）の第１架台側板（77）寄りには、前面側から後面側に向かって順に、系統用電装品箱（81）、圧縮機（12）、及び第１水熱交換器（35）が配置される。つまり、第２機械室（S2）では、系統用電装品箱（81）と第１水熱交換器（35）との間に圧縮機（12）が配置される。第２機械室（S2）には、中継管（42）及び流出管（43）の各一部が配置される。中継管（42）及び流出管（43）は、第２機械室（S2）の第２架台側板（78）寄りに配置される。
【００９７】
〔第３機械室〕
第３機械室（S3）には、圧縮機（12）、レシーバ（15）、系統用電装品箱（81）、及び第２水熱交換器（36）が設置される。第３機械室（S3）の第１架台側板（77）寄りには、前面側から後面側に向かって順に、系統用電装品箱（81）、圧縮機（12）、及び第２水熱交換器（36）が配置される。つまり、第３機械室（S3）では、系統用電装品箱（81）と第２水熱交換器（36）との間に圧縮機（12）が配置される。第３機械室（S3）には、流入管（41）、中継管（42）及び流出管（43）の各一部が配置される。流入管（41）、中継管（42）及び流出管（43）は、第３機械室（S3）の第２架台側板（78）寄りに配置される。第３機械室（S3）では、中継管（42）及び流出管（43）と、系統用電装品箱（81）の間にレシーバ（15）が配置される。
【００９８】
〔第４機械室〕
第４機械室（S4）には、圧縮機（12）、レシーバ（15）、系統用電装品箱（81）、及び水ポンプ（44）が設置される。第４機械室（S4）の第１架台側板（77）寄りには、前面側から後面側に向かって順に、系統用電装品箱（81）、圧縮機（12）、及び水ポンプ（44）が配置される。つまり、第４機械室（S4）では、系統用電装品箱（81）と水ポンプ（44）との間に圧縮機（12）が配置される。第４機械室（S4）には、流入管（41）及び流出管（43）の各一部が配置される。流入管（41）及び流出管（43）は、第４機械室（S4）の第２架台側板（78）寄りに配置される。第４機械室（S4）では、流入管（41）及び流出管（43）と、系統用電装品箱（81）の間にレシーバ（15）が配置される。流入管（41）の流入部は、第４機械室（S4）から第２架台側面（第４側面パネル（77d））を貫通し、外部へ延びている。流出管（43）の流出部は、第４機械室（S4）から後面パネル（76）を貫通し、外部へ延びている。
【００９９】
〈メンテナンス構造〉
図８に示すように、チラー装置（1）は、前面パネル（75）及び第１架台側板（77）が主なメンテナンス面を構成している。前面パネル（75）を取り外すと、操作用電装品箱（82）が前面メンテナンス口（86）を通じて外部へ露出する。これにより、操作用電装品箱（82）に容易にアクセスできる。第１架台側板（77）を構成する第１〜第４側面パネル（77a,77b,77c,77d）を取り外すと、各機械室（S1,S2,S3,S4）の圧縮機（12）や、第２〜第４機械室（S4）の系統用電装品箱（81）が側面メンテナンス口（87）を通じて外部へ露出する。これにより、各機械室（S1,S2,S3,S4）の圧縮機（12）や、第２〜第４機械室（S4）の系統用電装品箱（81）に容易にアクセスできる。なお、第１機械室（S1）の系統用電装品箱（81）のアクセスは、第５側面パネル（78a）（図２を参照）を取り外して行うことができる。
【０１００】
また、第１〜第４側面パネル（77a,77b,77c,77d）（図１を参照）を取り外すことで、各引出底板（83）をメンテナンススペース（85）側に引き出すことができる。これにより、圧縮機（12）や他の機器をメンテナンススペース（85）に引き出した後、作業を行うことができる。
【０１０１】
図９に示すように、チラー装置（1）を左右方向に複数設置することもある。この場合、隣り合う２つのチラー装置（1）のうち、一方のチラー装置（1）の第１架台側板（77）と、他方のチラー装置（1）の第２架台側板（78）とを対向して配置する。この場合、隣り合う支持架台（70）の間では、第２空気熱交換器（60）の下側に比較的広いメンテナンススペース（85）を確保できる。従って、複数のチラー装置（1）の間隔を狭くしながら、各機器のメンテナンスを行うことができる。
【０１０２】
−実施形態の効果−
上記実施形態では、各架台部（70A,70B,70C,70D）において、同じ冷媒回路（10）に接続される圧縮機（12）、２つの空気熱交換器（50,60）、及びレシーバ（15）と、この圧縮機（12）に対応する系統用電装品箱（81）とが１つのユニットとして集約して配置される。加えて、各架台部（70A,70B,70C,70D）では、同じ冷媒回路（10）に接続される過冷却ユニット（20）及び冷媒冷却ユニット（25）も１つのユニットとして集約して配置される。このため、４つの架台部（70A,70B,70C,70D）の間では、冷媒配管、電気配線、その周囲の取り付け構造が類似する、あるいは同じとなるため、これらの部品の共通化を図ることができる。この結果、冷凍装置（1）の装置構造の簡素化、低コスト化を図ることができる。
【０１０３】
上記実施形態では、操作用電装品箱（82）が設置される第１架台部（70A）と、水ポンプ（44）が設置される第４架台部（70D）との間に、第２架台部（70B）及び第３架台部（70C）を配置しているため、操作用電装品箱（82）と水ポンプ（44）との距離を離すことができる。また、第４架台部（70D）では、系統用電装品箱（81）と水ポンプ（44）との間に圧縮機（12）を配置しているため、系統用電装品箱（81）と水ポンプ（44）との距離を離すことができる。また、第２架台部（70B）及び第３架台部（70C）では、系統用電装品箱（81）と水熱交換器（35,36）との間に圧縮機（12）を配置しているため、系統用電装品箱（81）と水熱交換器（35,36）との間の距離を離すことができる。以上により、本実施形態では、水熱交換器（35,36）や水ポンプ（44）の漏水に起因して操作用電装品箱（82）や系統用電装品箱（81）の動作不良が生じることを防止しつつ、これらの機器を支持架台（70）の内部に配置できる。
【０１０４】
第２架台部（70B）、第３架台部（70C）、及び第４架台部（70D）では、第１架台側板（77）を開放することで、側面メンテナンス口（87）を通じて圧縮機（12）や系統用電装品箱（81）を外部へ露出させることができる。従って、圧縮機（12）や系統用電装品箱（81）のメンテナンスを容易に行うことができる。また、側面メンテナンス口（87）の外側には、メンテナンススペース（85）が確保されているため、圧縮機（12）や系統用電装品箱（81）へのアクセスも容易である。加えて、引出底板（83）を側面メンテナンス口（87）を通じてメンテナンススペース（85）へ引き出すことで、圧縮機（12）や他の機器のメンテナンスをより簡便に行うことができる。
【０１０５】
また、第１架台部（70A）では、前面パネル（75）を開放することで操作用電装品箱（82）に容易にアクセスできる。このことは、図９に示すように、複数の冷凍装置（1）を並べて配置した場合にも同様である。
【０１０６】
《その他の実施形態》
支持架台（70）を２つの架台部（70A,70D）だけで構成してもよい。この場合、一方の架台部（70A）（第１端側架台部）に操作用電装品箱（82）を設置し、他方の架台部（70D）（第２端側架台部）に水ポンプ（44）を配置するとよい。この場合にも、操作用電装品箱（82）と水ポンプ（44）との距離を離すことができる。
【産業上の利用可能性】
【０１０７】
以上のように、本発明は、冷凍装置について有用である。
【符号の説明】
【０１０８】
1      冷凍装置
10     冷媒回路
13     第１膨張弁
14     第２膨張弁
17     ファン
48     熱交換部
50     第１空気熱交換器
51     第１側面部
52     第２側面部
53     第３側面部
54     開放面
55     流通空間（空間）
60     第２空気熱交換器
61     斜面部
70     支持架台
77     第１架台側面（側面）
79     脚部
S1     第１機械室
S2     第２機械室
S3     第３機械室
S4     第４機械室
【手続補正２】
【補正対象書類名】特許請求の範囲
【補正対象項目名】全文
【補正方法】変更
【補正の内容】
【特許請求の範囲】
【請求項１】
圧縮機（12）と空気熱交換器（50,60）とレシーバ（15）とが接続される複数の冷媒回路（10）と、
複数の上記圧縮機（12）に対応する電装品（81a）をそれぞれ有する複数の系統用電装品箱（81）と、
一列に並んだ複数の架台部（70A,70B,70C,70D）を有する支持架台（70）とを備え、
上記各架台部（70A,70B,70C,70D）には、互いに対応する上記圧縮機（12）、空気熱交換器（50,60）、レシーバ（15）、及び系統用電装品箱（81）が１つのユニットとして設置され、
冷媒と水とを熱交換させる水熱交換器（35,36）と、水を搬送する水ポンプ（44）とが接続される水回路（40）と、
操作部（82a）を含む操作用電装品箱（82）とを備え、
上記複数の架台部（70A,70B,70C,70D）は、第１端側架台部（70A）と、第２端側架台部（70D）とを有し、
上記操作用電装品箱（82）は、上記第１端側架台部（70A）及び上記第２端側架台部（70D）のうちの該第１端側架台部（70A）のみに設置され、
上記水ポンプ（44）は、上記第１端側架台部（70A）及び上記第２端側架台部（70D）のうち該第２端側架台部（70D）のみに設置される
ることを特徴とする冷凍装置。
【請求項２】
請求項１において、
上記複数の架台部（70A,70B,70C,70D）は、該第１端側架台部（70A）と第２端側架台部（70D）との間の少なくとも１つの中間架台部（70B,70C）とを含んでいることを特徴とする冷凍装置。
【請求項３】
請求項１又は２において、
上記第２端側架台部（70D）では、上記第１端側架台部（70A）から上記第２端側架台部（70D）に向かって順に、上記系統用電装品箱（81）、上記圧縮機（12）、及び上記水ポンプ（44）が配置されることを特徴とする冷凍装置。
【請求項４】
請求項２において、
上記中間架台部（70B,70C）の少なくとも１つでは、上記第１端側架台部（70A）から上記第２端側架台部（70D）に向かって順に、上記系統用電装品箱（81）、上記圧縮機（12）、上記水熱交換器（35,36）が配置されることを特徴とする冷凍装置。
【請求項５】
請求項１乃至４のいずれか１つにおいて、
上記支持架台（70）には、上記架台部（70A,70B,70C,70D）の配列方向に沿った少なくとも一方の側面にメンテナンス口（87）が形成され、
上記複数の架台部（70A,70B,70C,70D）の少なくとも１つでは、上記圧縮機（12）が上記レシーバ（15）よりもメンテナンス口（87）寄りに配置されることを特徴とする冷凍装置。
【請求項６】
請求項５において、
上記複数の架台部（70A,70B,70C,70D）の少なくとも１つでは、上記系統用電装品箱（81）が上記レシーバ（15）よりもメンテナンス口（87）寄りに配置されることを特徴とする冷凍装置。
【請求項７】
請求項５又は６において、
上記複数の架台部（70A,70B,70C,70D）の底部には、上記圧縮機（12）が設置されるとともに上記メンテナンス口（87）に向かって引出可能な引出底板（83）が設けられることを特徴とする冷凍装置。
【請求項８】
請求項１乃至７のいずれか１つにおいて、
上記各架台部（70A,70B,70C,70D）に設置される上記１つのユニットは、上記各冷媒回路（10）に接続され、対応する上記系統用電装品箱（81）の電装品（81a）を冷媒によって冷却する冷媒冷却ユニット（25）を含んでいることを特徴とする冷凍装置。